(57)【要約】  貧血の原因をＭＤＳと特定するための方法を提供すること、特に骨髄穿刺を行わない、血液専門医の決定を必要としない等といった、簡便にＭＤＳと特定する方法を提供することを課題とする。解決手段は、下記の工程１及び２を含む貧血患者の貧血の要因を検出する方法である；（１）前記患者から得た末梢血に含まれる多血球におけるＡＣＶＲ２Ｂの発現量を測定する工程１、（２）工程１にて測定したＡＣＶＲ２Ｂの発現量が、健常者から得られる末梢血に含まれる多血球におけるＡＣＶＲ２Ｂの発現量よりも多い場合に、前記患者の貧血の要因がＭＤＳであると決定する工程２。【特許請求の範囲】
【請求項１】
下記の工程１及び２を含む貧血患者の貧血の要因を検出する方法；
（１）前記患者から得た末梢血に含まれる多血球におけるアクチビンレセプター２Ｂ（ＡＣＶＲ２Ｂ）の発現量を測定する工程１、
（２）工程１にて測定したＡＣＶＲ２Ｂの発現量が、健常者から得られる末梢血に含まれる多血球におけるＡＣＶＲ２Ｂの発現量よりも多い場合に、前記患者の貧血の要因が骨髄異形成症候群（ＭＤＳ）であると決定する工程２。
【請求項２】
ＭＤＳが、ＲＡ、ＲＣＭＤ、ＲＣＭＤ−ＲＳ、及びＲＡＥＢからなる群より選択される少なくとも１つである請求項１に記載の方法。
【請求項３】
下記の工程１及び２を含む貧血患者の白血病の発症リスクを判定する方法；
〔１〕前記患者から得た末梢血に含まれる多血球におけるＡＣＶＲ２Ｂの発現量を測定する工程１、
〔２〕工程１にて測定したＡＣＶＲ２Ｂの発現量が、健常者から得られる末梢血に含まれる多血球におけるＡＣＶＲ２Ｂの発現量より多い場合に、前記患者は白血病発症リスクがあると決定する工程２。
【請求項４】
白血病が、急性骨髄性白血病である、請求項３に記載の方法。
【請求項５】
下記の工程１及び２を含む貧血患者の輸血の必要性及びその頻度を予測する方法；
｛１｝前記患者から得た末梢血に含まれる多血球におけるＡＣＶＲ２Ｂの発現量を測定する工程１、
｛２｝工程１にて測定したＡＣＶＲ２Ｂの発現量が、健常者から得られる末梢血に含まれる多血球におけるＡＣＶＲ２Ｂの発現量より多い場合に、前記患者について輸血が必要で、その頻度が末梢血採取時における当該患者の輸血頻度よりも高いと決定する工程２。
【請求項６】
抗ＡＣＶＲ２Ｂ抗体を含む、貧血患者の貧血の要因をＭＤＳであると検出するための診断剤。
【請求項７】
ＭＤＳが、ＲＡ、ＲＣＭＤ、ＲＣＭＤ−ＲＳ、及びＲＡＥＢからなる群より選択される少なくとも１つである請求項６に記載の診断剤。
【請求項８】
抗ＡＣＶＲ２Ｂ抗体を含む、貧血患者の白血病発症リスクを判定するための診断剤。
【請求項９】
白血病が、急性骨髄性白血病である、請求項８に記載の診断剤。
【請求項１０】
抗ＡＣＶＲ２Ｂ抗体を含む、貧血患者の輸血の必要性及びその頻度の診断剤。
【請求項１１】
抗ＡＣＶＲ２Ｂ抗体を含む、貧血患者の貧血の要因をＭＤＳであると検出するためのキット。
【請求項１２】
ＭＤＳが、ＲＡ、ＲＣＭＤ、ＲＣＭＤ−ＲＳ、及びＲＡＥＢからなる群より選択される少なくとも１つである請求項１１に記載のキット。
【請求項１３】
抗ＡＣＶＲ２Ｂ抗体を含む、貧血患者の白血病発症リスクを判定するためのキット。
【請求項１４】
白血病が、急性骨髄性白血病である、請求項１３に記載のキット。
【請求項１５】
抗ＡＣＶＲ２Ｂ抗体を含む、貧血患者の輸血の必要性及びその頻度を予測するためのキット。
【請求項１６】
ＡＣＶＲ２Ｂからなる、貧血患者がＭＤＳであると判定するためのバイオマーカー。
【請求項１７】
ＡＣＶＲ２Ｂからなる、貧血患者の白血病発症リスクを決定するためのバイオマーカー。
【請求項１８】
ＡＣＶＲ２Ｂからなる、貧血患者の輸血の必要性及びその頻度を予測するためのバイオマーカー。
【発明の詳細な説明】
【技術分野】
【０００１】
本発明は、貧血患者がＭＤＳであると決定するためのバイオマーカー、貧血患者の貧血の要因を検出する方法、及びそのためのキット並びに診断剤に関する。【０００２】
また、本発明は、貧血患者の白血病発症リスクを判定するためのバイオマーカー、貧血患者の白血病発症リスクを判定する方法、及びそのためのキット並びに診断剤に関する。【０００３】
更に、本発明は、貧血患者の輸血の必要性及びその頻度を予測するためのバイオマーカー、貧血患者の輸血の必要性及びその頻度を予測する方法、及びこれらに用いられるキット並びに診断剤に関する。
【背景技術】
【０００４】
貧血の症状を訴える患者を診断するには、その原因を調べる必要がある。通常であれば、患者の症状や身体状態の問診に加え、末梢血中の末梢血のヘモグロビン値を測定して確定診断を行った後、赤血球、白血球、血小板等の血液細胞の数、鉄分、ビタミン類等の量の検査等を行う。【０００５】
それでもなお、貧血の原因が掴めない場合は、患者から骨髄穿刺によって検体を採取して骨髄中の造血の状態、芽球の有無、異常染色体の有無等といった、多血球の形態学的な情報を、熟練した技術、所謂、巧の技を習得した血液専門医によって調べる必要がある。
この様な方法によって、ようやく骨髄異形成症候群（ＭＤＳ）の診断が可能となる。【０００６】
ＭＤＳとは血液腫瘍の一種で、血球の量、質等が異常となる疾患である。そして、ＭＤＳとは、前白血病状態を引き起こして造血障害を来たし、その予後も悪く、急性骨髄性白血病に移行することが知られている。また、血球の分化、成熟等の障害が見られる疾患でもある。具体的には、赤血球数の減少（貧血状態）、血小板数の減少、白血球数の異常（減少あるいは増加）等といった症状が見られる。【０００７】
ＭＤＳの患者数は、全世界で３０万人、日本国内でも７，１００人であり、その患者層は平均年齢７０歳代と高齢者に多い。そのため、今後、高齢者社会に突入することから、ＭＤＳ患者数の増加が懸念されている。【０００８】
なお、ＭＤＳには不応性貧血（ＲＡ）、多血球系異形成を伴う不応性血球減少症（ＲＣＭＤ）、多血球異形成を伴う鉄芽球性不応性貧血（ＲＣＭＤ−ＲＳ）、芽球増加を伴う不応性貧血（ＲＡＥＢ）等が含まれる。ＲＡの診断基準は、芽球の存在が末梢血において１％未満、骨髄において５％未満であって、且つ環状鉄芽球を有さない場合が基準とされ、ＲＡから白血病となる確率は１０％とされる。ＲＡの治療方法としては、無治療、経過観察、又は輸血治療が主体となり、６０〜８０％のＲＡ患者は、その症状が悪化する。また、長期生存の場合、肝臓での鉄分の沈着等といった、長期間の輸血による合併症への対策が必要となる。ＲＣＭＤの診断基準は、ＲＡの診断基準に加え明瞭な多血球の形態学的異形成が１０％以上見られるものとされ、ＲＣＭＤから白血病へ移行する確率は１５〜２０％とされる。【０００９】
これらのＭＤＳに関連する疾患のうち、ＲＡ及びＲＡＲＳは軽症、ＲＣＭＤ及びＲＣＭＤ−ＲＳは中等症、そしてＲＡＥＢは重症とされる。【００１０】
このようなＭＤＳの中でも、重症の骨髄異形成症候群であるＲＡＥＢに関する診断については、ＷＴ１タンパク質をコードするｍＲＮＡを用いたキット等が上市されている。しかしながら、このようなキット等は末梢血から全ＲＮＡを採取する工程等を必要とし、医療現場で簡便に用いるには更なる改善が求められている。【００１１】
また、これらのキットはＭＤＳの中でも軽症度のものに対する診断には向いていない。【００１２】
特許文献１には、アクチビンレセプター２Ｂのカイネース活性を測定するための方法が開示されている。そしてアクチビンが生体内で発揮する作用として赤血球の分化に関連する因子であることが開示されている。【００１３】
特許文献２には、マウス由来のアクチビンレセプターの細胞外領域を認識するモノクローナル抗体が開示されている。そしてアクチビンが造血の場において作用するタンパク質であることも開示されている。【００１４】
特許文献３には、アクチビンレセプター２のアンタゴニストを用いた、赤血球を増加させる方法が開示されている。そして貧血を処置する方法として斯かるアンタゴニストを用いることも開示されている。【００１５】
特許文献４には、アルギニンを主成分とし、更にアクチビンを含む骨髄赤血球前駆細胞分化促進剤が開示されている。
【先行技術文献】
【特許文献】
【００１６】
【特許文献１】特開２００３−２５０５３７号公報
【特許文献２】特開平１１−３３５３９９号公報
【特許文献３】特表２０１０−５１３５０６号公報
【特許文献４】国際特許公報２００６／１１５２７４号パンフレット
【発明の概要】
【発明が解決しようとする課題】
【００１７】
上述のように、貧血の原因、特にＭＤＳが貧血の原因であると決定するために有用な方法は、骨髄穿刺という患者に負担のかかる方法で骨髄から検体を採取して、更に血液専門医による検体中の多血球に関して形態学的な診断を行う必要がある。従って、骨髄穿刺によって骨髄から検体を採取できる設備、並びに血液専門医が存在しないような、一般クリニックにおいて、貧血の症状を訴える患者がＭＤＳに罹患しているかどうかを検査することは極めて困難である。【００１８】
これに変わる方法として、一般クリニックからであっても検査委託することによって、簡便にＭＤＳの診断が出来る方法を提供するためには、例えば造血幹細胞から分化する過程において発現するバイオマーカーを指標としたＭＤＳの診断方法の開発が求められる。そこで、造血分化過程において、例えばマウスではＳｃａ−１、ｃ−ｋｉｔ、ＣＤ７１、Ｇａｔａ１、Ｔｅｒ１１９等が、ヒトでは、ＣＤ３４、ＣＤ７１、ＧＰＡ（Ｇｌｙｃｏｐｈｏｒｉｎ  Ａ）等が発現することが知られており、これらをバイオマーカーとしたＭＤＳの診断方法が開発されつつあるが、何れも実用に耐え難く実現していない。【００１９】
また、本発明者は、上述の様に造血に関与することが知られているアクチビンの受容体の１つであるＡＣＶＲ２Ｂが造血分化の過程に関与するかどうかは明確ではないことも見出している。【００２０】
さらに、ＷＴ１をコードするｍＲＮＡを用いたキットは、末梢血から全ＲＮＡを採取する必要があると言う点で簡便とはいえない。【００２１】
上記現状に鑑み、本発明の主な課題は、貧血の原因を決定するための方法を提供すること、特に骨髄穿刺を行わない、血液専門医の決定を必要としない等といった、簡便な方法で決定する方法を提供することである。更に、本発明の課題には、貧血患者が、白血病が発症しやすい状態かどうかを決定するための簡便な方法を提供することも含まれる。そして、本発明の課題には、貧血患者の輸血の必要性及びその頻度を予測する方法も含まれる。
【課題を解決するための手段】
【００２２】
本発明者は、Ｇａｔａ１―ＧＦＰトランスジェニックマウスを用いた実験によって、造血幹細胞から分化各ステージに分類される細胞群である、正染性赤芽球、網赤芽球、及び赤血球を分離することに成功した。【００２３】
これらの分離された、それぞれの細胞群に関して更に研究を重ねた結果、ＡＣＶＲ２Ｂの発現量が、細胞群間において顕著に異なることを見出した。【００２４】
本発明は、斯かる知見に基づいてなされたものであり、下記に示す広い態様の発明を包含するものである。【００２５】
項１  下記の工程１及び２を含む貧血患者の貧血の要因を検出する方法；
（１）前記患者から得た末梢血に含まれる多血球におけるアクチビンレセプター２Ｂ（ＡＣＶＲ２Ｂ）の発現量を測定する工程１、
（２）工程１にて測定したＡＣＶＲ２Ｂの発現量が、健常者から得られる末梢血に含まれる多血球におけるＡＣＶＲ２Ｂの発現量よりも多い場合に、前記患者の貧血の要因がＭＤＳであると決定する工程２。【００２６】
項２  前記多血球が、赤血球、白血球、及び血小板からなる群より選択される一つ以上である、項１に記載の方法。【００２７】
項３  ＭＤＳが、ＲＡ、ＲＣＭＤ、ＲＣＭＤ−ＲＳ、及びＲＡＥＢからなる群より選択される少なくとも１つである項１又は２に記載の方法。【００２８】
項４  下記の工程１及び２を含む貧血患者の白血病発症リスクを判定する方法；
〔１〕前記患者から得た末梢血に含まれる多血球におけるＡＣＶＲ２Ｂの発現量を測定する工程１、
〔２〕工程１にて測定したＡＣＶＲ２Ｂの発現量が、健常者から得られる末梢血に含まれる多血球におけるＡＣＶＲ２Ｂの発現量より多い場合に、前記患者は白血病発症リスクがあると決定する工程２。【００２９】
項５  前記多血球が、赤血球、白血球、及び血小板からなる群より選択される一つ以上である、項４に記載の方法。【００３０】
項６  白血病が、急性骨髄性白血病である、項４又は５に記載の方法。【００３１】
項７  下記の工程１及び２を含む貧血患者の輸血の必要性又はその頻度を予測する方法；
｛１｝前記患者から得た末梢血に含まれる多血球におけるＡＣＶＲ２Ｂの発現量を測定する工程１、
｛２｝工程１にて測定したＡＣＶＲ２Ｂの発現量が、健常者から得られる末梢血に含まれる多血球におけるＡＣＶＲ２Ｂの発現量より多い場合に、前記患者について輸血が必要でその頻度が、末梢血採取時における当該患者の輸血頻度よりも高いと決定する工程２。【００３２】
項８  前記多血球が、赤血球、白血球、及び血小板からなる群より選択される何れか１つである、項７に記載の方法。【００３３】
項９  白血病が、急性骨髄性白血病である、項７又は８に記載の方法。【００３４】
項１０  抗ＡＣＶＲ２Ｂ抗体を含む、貧血患者の貧血の要因をＭＤＳであると検出するための診断剤。【００３５】
項１１  ＭＤＳが、ＲＡ、ＲＣＭＤ、ＲＣＭＤ−ＲＳ、及びＲＡＥＢからなる群より選択される少なくとも１つである、項１０に記載の診断剤。【００３６】
項１２  抗ＡＣＶＲ２Ｂ抗体を含む、貧血患者の貧血の要因をＭＤＳであると検出するためのキット。【００３７】
項１３  ＭＤＳが、ＲＡ、ＲＣＭＤ、ＲＣＭＤ−ＲＳ、及びＲＡＥＢからなる群より選択される少なくとも１つである、項１２に記載のキット。【００３８】
項１４  抗ＡＣＶＲ２Ｂ抗体を含む、貧血患者の白血病発症リスクを判定するための診断剤。【００３９】
項１５  白血病が、急性骨髄性白血病である、項１４に記載の診断剤。【００４０】
項１６  抗ＡＣＶＲ２Ｂ抗体を含む、貧血患者の白血病発症リスクを判定するためのキット。【００４１】
項１７  白血病が、急性骨髄性白血病である、項１６に記載のキット。【００４２】
項１８  抗ＡＣＶＲ２Ｂ抗体を含む、貧血患者の輸血の必要性及びその頻度の診断剤。【００４３】
項１９  抗ＡＣＶＲ２Ｂ抗体を含む、貧血患者の輸血の必要性及びその頻度を検出するためのキット。【００４４】
項２０  ＡＣＶＲ２Ｂからなる、貧血患者の貧血の要因をＭＤＳであると検出するためのバイオマーカー。【００４５】
項２１  ＭＤＳが、ＲＡ、ＲＣＭＤ、ＲＣＭＤ−ＲＳ、及びＲＡＥＢからなる群より選択される少なくとも１つである、項２０に記載のバイオマーカー。【００４６】
項２２  ＡＣＶＲ２Ｂからなる、貧血患者の貧血患者の白血病発症リスクを判定するためのバイオマーカー。【００４７】
項２３  白血病が、急性骨髄性白血病である、項２２に記載のバイオマーカー。【００４８】
項２４  ＡＣＶＲ２Ｂからなる、貧血患者の貧血の患者の輸血の必要性及びその頻度を予測するためのバイオマーカー。
【発明の効果】
【００４９】
以下に、本発明の効果について記載する。ただし、本願発明が、以下に示す効果の全てを有する発明に限定されず、少なくとも何れか１つの効果を有する発明であることは言うまでもない。【００５０】
本発明に係る方法、診断剤、キット、又はバイオマーカーを用いることによって、従来ＭＤＳを診断する上で行われる、患者に負担のかかる骨髄穿刺を行わずに診断することが可能である点で優れている。そして、高度な技術を有する血液専門医によらずにＭＤＳの診断が可能である点においても非常に優れている。【００５１】
また、本発明に係る方法、診断剤、キット、又はバイオマーカーは、貧血の原因をＭＤＳと簡便な方法によって決定づけるのに特に有用である。このことは、一般クリニックにおける外来患者を専門医に紹介するに必要な患者のエビデンスを十分に、且つ簡便に得ることが可能である点において優れている。【００５２】
特に、貧血の患者はほぼ毎日、外来に訪れるため、ＭＤＳといった非常に重篤な疾患を早い段階で診断する点においても非常に有用である。【００５３】
更に、本発明の方法、診断剤、キット、又はバイオマーカーは、ＭＤＳから白血病への進行の予測に有効に用いられる。【００５４】
ＭＤＳは白血病に進行し易い事が知られており、結果として白血病を発症してしまうと、骨髄内で白血病細胞が激しく増殖し、正常に血球を作る事ができず、延いては赤血球を作れなくなる事に伴うことで貧血の状態となり、ＭＤＳの治療の際には輸血が必要になる事も知られている。また、ＭＤＳとは赤血球への分化、成熟等において障害が認められる事から、ＭＤＳそのものの治療にも輸血が必要である。【００５５】
以上のことから、本発明の方法、診断剤、キット、又はバイオマーカーは、輸血の必要性及びその頻度を予測することにおいても非常に有用である。
【図面の簡単な説明】
【００５６】
【図１】各分化ステージの血球細胞の分取した結果を示す図。
【図２】正染性赤芽球、網赤芽球、及び赤血球の細胞集団にて発現するＡｃｖｒ２ｂ（ヒトタンパク質ホモログ名称：ＡＣＶＲ２Ｂ）のｍＲＮＡの量を測定した結果を示す図。
【図３】末梢血に含まれる赤血球にて発現するＡＣＶＲ２Ｂの量を測定した結果を示す図。サンプルは、健常者、ＭＤＳのうちでもＲＡの患者、並びにＲＣＭＤの患者から得られた末梢血であり、その中の赤血球（マーカーはＣＤ４５−／ＣＤ７１−／ＧＰＡ＋）における、ＡＣＶＲ２Ｂの発現量を示している。
【図４】末梢血に含まれる白血球にて発現するＡＣＶＲ２Ｂの量を測定した結果を示す図。サンプルは、健常者、ＭＤＳのうちでもＲＡの患者、並びにＲＣＭＤの患者から得られた末梢血であり、その中の白血球（マーカーはＣＤ４５＋／ＧＰＡ―）における、ＡＣＶＲ２Ｂの発現量を示している。
【図５】末梢血に含まれる赤血球（図４）及び白血球（図５）にて発現するＡＣＶＲ２Ｂの量を測定した結果をグラフ化した図。
【図６】末梢血に含まれる赤血球にて発現するＡＣＶＲ２Ｂの量を測定した結果を示す図。サンプルは、健常者、ＭＤＳのうちでもＲＡの患者、並びにＲＣＭＤの患者、そして対照実験として健常高齢者及び腎性貧血患者から得られた末梢血である。
【発明を実施するための形態】
【００５７】
以下に本発明について詳細に説明する。なお、本発明を実施するために使用する様々な技術は、特にその出典を明示した技術を除いては、公知の文献等に基づいて当業者であれば容易かつ確実に実施可能である。
【００５８】
例えば、Ｓａｍｂｒｏｏｋ  ａｎｄ  Ｒｕｓｓｅｌｌ，“Ｍｏｌｅｃｕｌａｒ  Ｃｌｏｎｉｎｇ  Ａ  ＬＡＢＯＲＡＴＯＲＹ  ＭＡＮＵＡＬ”，  Ｃｏｌｄ  Ｓｐｒｉｎｇ  Ｈａｒｂｏｒ  Ｌａｂｏｒａｔｏｒｙ  Ｐｒｅｓｓ，  Ｎｅｗ  Ｙｏｒｋ，  ２００１；  Ａｕｓｕｂｅｌ，  Ｆ．  Ｍ．  ｅｔ  ａｌ．  “Ｃｕｒｒｅｎｔ  Ｐｒｏｔｏｃｏｌｓ  ｉｎ  Ｍｏｌｅｃｕｌａｒ  Ｂｉｏｌｏｇｙ”，  Ｊｏｈｎ  Ｗｉｌｅｙ  ＆  Ｓｏｎｓ，  Ｎｅｗ  Ｙｏｒｋ，  ．ＮＹ；Ｍｏｌｅｃｕｌａｒ  Ｂｉｏｌｏｇｙ  ｏｆ  ｔｈｅ  Ｃｅｌｌ  ５Ｅ：Ｒｅｆｅｒｅｎｃｅ  Ｅｄｉｔｉｏｎ  Ｂｒｕｃｅ  Ａｌｂｅｒｔｓ、Ａｌｅｘａｎｄｅｒ  Ｊｏｈｎｓｏｎ、Ｊｕｌｉａｎ  Ｌｅｗｉｓ、  Ｍａｒｔｉｎ  Ｒａｆｆ；Ｂａｓｉｃ  ａｎｄ  Ｃｌｉｎｉｃａｌ  Ｐｈａｒｍａｃｏｌｏｇｙ  １２／Ｅ（ＬＡＮＧＥ  Ｂａｓｉｃ  Ｓｃｉｅｎｃｅ）ｂｙ  Ｂｅｒｔｒａｍ  Ｋａｔｚｕｎｇ，Ｓｕｓａｎ  Ｍａｓｔｅｒｓ  ａｎｄ  Ａｎｔｈｏｎｙ  Ｔｒｅｖｏｒ（Ｄｅｃ  １３，  ２０１１）等の文献を参照すればよい。
【００５９】
＜用語の説明＞
本明細書にて用いる用語「貧血」とは、ＷＨＯのガイドラインに示されている様に、男性であれば血中のヘモグロビン濃度が１３ｇ／ｄＬ以下、女性であれば、１２ｇ／ｄＬ以下である状態をいい、動悸、息切れ、眩暈等の症状を呈するが、無症状である場合であっても、上述した血中ヘモグロビン濃度となっている場合には貧血であると決定してもよい。また、用語「貧血患者」とは上述した「貧血」の症状を患う者である。
【００６０】
本明細書にて用いる用語「貧血の要因」とは、上述した「貧血」の発症機序をいい、例えば、症状の１つとして貧血が挙げられる疾患等に言いかえることができる。
【００６１】
このような疾患としては、ＭＤＳ、腎性貧血、単に加齢に伴う貧血、鉄欠乏生貧血、サラセミア、鉄芽球性貧血、巨赤芽球性貧血（ビタミンＢ１２欠乏、葉酸欠乏）、原発性骨髄不全、炎症、尿毒症、溶血性貧血、再生不良性貧血、鎌状赤血球証、腎性貧血等が挙げられる。
【００６２】
本明細書にて用いる用語「ＭＤＳ」とは、血液腫瘍の一種で、骨髄異形成症候群と呼ばれ、血球の量や質が異常となる疾患であり、赤血球を始めとする多血球の分化、成熟等において障害が認められる疾患ある。
【００６３】
具体的にＭＤＳには、不応性貧血（ＲＡ）、多血球系異形成を伴う不応性血球減少症（ＲＣＭＤ）多血球異形成を伴う鉄芽球性不応性貧血（ＲＣＭＤ−ＲＳ）、芽球増加を伴う不応性貧血（ＲＡＥＢ）等が含まれる。これらの疾患は、上述のように、赤血球への分化、成熟等において障害が認められ、最終的にその一部は後述する白血病に進展するものである。
【００６４】
これらの疾患は、それぞれ骨髄及び／又は末梢血から得られた血球細胞を、形態学的な手段を用いて検査する事によって診断できるものである。具体的な診断方法は、公知の方法を用いればよく、特に限定されるものではない。
【００６５】
上述した疾患の中でも、ＲＡＥＢが最も白血病に進展し易い。
【００６６】
本明細書にて用いる用語「白血病」とは、その症状、病態等によって、例えば急性白血病、慢性白血病等に分類される。また、これとは別の分類法によっては、骨髄性白血病、リンパ性白血病に分類される。上述の白血病の中でも、急性骨髄性白血病が特に好ましい。
【００６７】
なお、急性骨髄性白血病に関しては、ＦＡＢ分類と呼ばれる分類法に従って、更に、Ｍ０；急性未分化型骨髄性白血病（最未分化型）；Ｍ１：急性未分化型骨髄芽球性白血病；Ｍ２：急性分化型骨髄芽球性白血病；Ｍ３急性前骨髄球性白血病；Ｍ４：急性骨髄単球性白血病；Ｍ５：急性単球性白血病；Ｍ６：赤白血病；Ｍ７：急性巨核球性白血病に分類される。
【００６８】
本明細書にて用いる用語「発症リスク」とは、ある疾患を発症するかどうかの危険度を表すものであり、実際に当該疾患を発症しているかどうか診断した結果によって影響されるものではない。
【００６９】
本明細書にて用いる用語「頻度」とは、輸血頻度として用いられ、輸血の必要回数が多いか少ないかの度合いを示すものである。これは、１回の輸血に対して可能な量が定められているために、多量の輸血が必要な場合は、輸血の回数を増やして必要量の輸血を行う事、及び１回の輸血でそれによる効果を発揮する期間が最長１２０日である事に基づいて輸血の回数が決定されるものである。
【００７０】
例えば、臨床上、骨髄異形成症候群と診断された患者（体重６０ｋｇ）で血中のヘモグロビン値が７ｇ／ｄＬ以下であれば、１回の輸血で２単位（２８０ｍＬ）上限として行うことにより、１．３〜１．４ｇ／ｄＬ程度のヘモグロビン値が上昇する。これでもまだ、所望の血中ヘモグロビン値に達しない場合、又は、症状の悪化、即ち赤血球の分化、成熟等の障害が改善されず、血中のヘモグロビン値が低下した場合には、再度、期間をおいて上限である２単位の輸血を行う事になる。
【００７１】
本明細書にて用いる用語「ＡＣＶＲ２Ｂ」とは、アクチビンレセプター２Ｂとも呼ばれる。アクチビンレセプター２Ｂとは、Ｎ末端からシステインリッチ領域を含む細胞外ドメイン、膜貫通ドメイン、セリン／スレオニン型カイネースドメインを含む細胞内ドメインを有するレセプタータンパク質である。
【００７２】
アクチビンレセプター２Ｂは、Ｂｏｎｅ  Ｍｏｒｐｈｏｇｅｎｅｔｉｃ  Ｐｒｏｔｅｉｎ７（ＢＭＰ７）、Ｇｒｏｗｔｈ／Ｄｉｆｆｅｒｅｎｔｉａｔｉｏｎ  ｆａｃｔｏｒ  ５（ＧＤＦ５）、Ｍｙｏｓｔａｔｉｎ（ＭＳＴＮ）、インヒビンα（ＩＮＨＡ）、インヒビンβ  Ａサブユニット（ＩＮＨＢＡ）、インヒビンβ  Ｂサブユニット（ＩＮＨＢＢ）、インヒビンβ  Ｃサブユニット（ＩＮＨＢＣ）、ＮＯＤＡＬ、ＴＤＧＦ等をリガンドとするセリン／スレオニンキナーゼ型受容体であって、前記リガンドの刺激に応答してＢＭＰレセプター１Ａ（ＢＭＰＲ１Ａ）、ＢＭＰレセプター１Ｂ（ＢＭＰＲ１Ｂ）、アクチビンレセプター１（ＡＣＶＲ１）等と複合体を形成し、細胞内のＳｍａｄカスケード等を作動させる機能の一端を担うレセプタータンパク質である。
【００７３】
アクチビンレセプター２Ｂは、具体的に例えば、ｈｔｔｐ：／／ｗｗｗ．ｕｎｉｐｒｏｔ．ｏｒｇ／ｕｎｉｐｒｏｔ／Ｑ１３７０５等に示されるアミノ酸配列（配列番号１）からなるタンパク質である。このようなタンパク質の中でも、特に、少なくとも配列番号１における１番目〜１１９番目のアミノ酸配列からなる細胞外ドメインを有していることが好ましい。
【００７４】
なお、本発明が対象とするＡＣＶＲ２Ｂは、上述のタンパク質そのものに限定はされず、変異（置換、欠失、付加等）がされたタンパク質であってもよい。
【００７５】
本明細書にて用いる用語「発現量」とは、ｍＲＮＡの発現量ではなく、ｍＲＮＡを基に翻訳されたタンパク質の発現量であることを意味する。
【００７６】
本明細書にて用いる用語「バイオマーカー」とは、糖質、脂質、タンパク質、等の生体由来の物質で、生体内の生物学的変化を定量的に把握するための指標となるものを指す。
【００７７】
より具体的に、バイオマーカーとは、病気等の現状を把握するために用いられる現状を診断又は判定するための指標としての役割と、疾患等の予防や病状の推移を予測するための予測診断又は推定するための指標としての役割を有するものである。
【００７８】
本発明の方法
本発明の方法は、貧血患者の＜貧血の要因を検出する方法＞、＜白血病発症リスクを判定する方法＞、及び＜輸血の必要性及びその頻度を予測する方法＞を包含する。
【００７９】
＜貧血の要因を検出する方法＞
本発明の貧血患者の貧血の要因を検出する方法は、以下の工程１及び工程２を含む。
（１）前記患者から得た末梢血に含まれる多血球におけるＡＣＶＲ２Ｂの発現量を測定する工程１、
（２）工程１にて測定したＡＣＶＲ２Ｂの発現量が、健常者から得られる末梢血に含まれる多血球におけるＡＣＶＲ２Ｂの発現量よりも多い場合に、前記患者の貧血の要因がＭＤＳであると決定する工程２。
【００８０】
（工程１について）
工程１は、貧血患者から得た末梢血に含まれる多血球におけるＡＣＶＲ２Ｂの発現量を測定する工程である。
【００８１】
末梢血とは血管内に存在する血液を意味する。このような末梢血は、ヒトの血管内に注射針等を刺して採取すればよい。注射針等は、例えば金属製のものを用いればよく、サーフロー（登録商標）のような留置張りを用いてもよい。プラスチック製の注射針を金属針と共に血管内に刺して、それを留置して末梢血を採取してもよい。採取した末梢血は、適宜、凝固を妨げる工程に供してもよい。具体的には、ヘパリン、ＥＤＴＡといった抗凝固剤を用いればよいが、安価で、汎用性が高いＥＤＴＡを用いる事が好ましい。
【００８２】
多血球とは、特に限定はされないが、例えば、赤血球、白血球、血小板等が挙げられる。より好ましくは、赤血球、白血球等である。
【００８３】
ＡＣＶＲ２Ｂの具体的な測定方法は、特に限定されないが、例えば、ＡＣＶＲ２Ｂに対する抗体を用いたフローサイトメトリー法を用いることによって測定することが可能である。他の方法としてはＡＣＶＲ２Ｂに対する抗体を用いたＥＬＩＳＡ法、Ｗｅｓｔｅｒｎ  ｂｌｏｔｔｉｎｇ法等を用いることによっても測定することができる。
【００８４】
これらの測定方法は公知のプロトコールに従えば、当業者であれば容易に測定することができる。
【００８５】
ＡＣＶＲ２Ｂに対する抗体は、市販された抗体、又は適宜常法に基づいて作成した抗体をそのまま用いてもよいし、当該抗体に対して標識物質を付加した修飾化抗体として用いてもよい。
【００８６】
上記抗体の由来は、特に限定はされず、ヒト、マウス、ラット、ニワトリ、ヤギ、ヒツジ、ロバ、ラマ、ダチョウ、アルパカ、ウマ等の動物種由来の抗体が挙げられる。
【００８７】
また、上記抗体はモノクローナル抗体であっても、ポリクローナル抗体であってもよい。ＡＣＶＲ２Ｂ抗体とはＡＣＶＲ２Ｂに特異的に結合する分子であれば、特に限定されずイムノグロブリン（Ｉｇ）、又は例えば、ｓｃＦｖ、Ｆ（ａｂ′）２、ｍｉｎｉｂｏｄｙ等といった抗体の断片等が挙げられる。また、アフィボディも上述の抗体に包含される。また、抗血清も、上述の抗体に包含される。
【００８８】
抗体がイムノグロブリンである場合、そのサブタイプも特に限定はされず、ＩｇＡ、ＩｇＤ、ＩｇＥ、ＩｇＧ、ＩｇＭ、ＩｇＹ、ＩｇＷ等のいずれであってもよい。また、抗体のサブクラスも特定のサブクラスには限定されることは無く、例えばヒトＩｇＧであれば、ＩｇＧ１〜４のいずれであってもよい。
【００８９】
工程１にて用いる上述の抗ＡＣＶＲ２Ｂ抗体は、ＡＣＶＲ２Ｂに特異的に結合する能力を発揮する限りにおいて、上述の数種類の抗体を混合して用いてもよい。
【００９０】
工程１においてＡＣＶＲ２Ｂの量を測定する際に、上記多血球に特異的に発現するマーカーに対する抗体を用いて多血球を特定する。これによって、特定の多血球におけるＡＣＶＲ２Ｂの量を測定することが可能になる。
【００９１】
このようなマーカーとしては、ＣＤ３、ＣＤ４、ＣＤ５、ＣＤ１０、ＣＤ１３、ＣＤ１９、ＣＤ２０、ＣＤ２３、ＣＤ３３、ＣＤ３４、ＣＤ３８、ＣＤ４５、ＣＤ４５ＲＡ、ＣＤ９０、ＩｇＭ、ＨＬＡ−ＤＲ等の白血球マーカー；ＣＤ７１、ＧＰＡ等の赤血球マーカー；ＣＤ４１、ＣＤ４２ｂ、ＣＤ６１、ＣＤ６２Ｐ、ＰＡＣ−１等の血小板マーカー等が挙げられ、これらの抗体は、適宜、組み合わせればよい。
【００９２】
また、これらのマーカーに対する抗体も、特定の由来種等に限定されるものではなく、上記ＡＣＶＲ２Ｂに対する抗体と同様にすればよく、適宜標識物質によって標識化されていてもよい。
【００９３】
上記マーカーに対する抗体の具体的な使用方法は、上記フローサイトメトリー法、ＥＬＩＳＡ法、Ｗｅｓｔｅｒｎ  ｂｌｏｔｔｉｎｇ法等といった公知の方法に沿って用いればよく、特に限定されない。
【００９４】
（工程２について）
工程２は、上記（工程１）にて測定した貧血患者の末梢血に含まれる多血球におけるＡＣＶＲ２Ｂの発現量が、健常者から得られる末梢血に含まれる多血球におけるＡＣＶＲ２Ｂの発現量よりも多い場合に、前記患者の貧血の要因がＭＤＳであると決定する工程である。
【００９５】
健常者とは、上記用語「貧血」にて説明した貧血状態でないヒトであり、上述のような貧血の症状を訴えるか否かについては、健常者を定義する上で特に限定はされない。また、健常者の人種、年齢、性別は問わない。そして、健常者から得られる「末梢血」とは上述の通りである。
【００９６】
多血球とは、（工程１）にて測定する前記患者から得た末梢血に含まれる多血球と同様に定義されるものである。
【００９７】
健常者から得られる末梢血に含まれる多血球におけるＡＣＶＲ２Ｂの発現量は、上述の（工程１）におけるＡＣＶＲ２Ｂの測定方法と同じ方法にて決定することができる。
【００９８】
ここで、（工程１）にて測定した貧血患者から得た末梢血に含まれる多血球におけるＡＣＶＲ２Ｂの発現量と、健常者から得られる末梢血に含まれる多血球におけるＡＣＶＲ２Ｂの発現量の比較は、特に限定はされないが、例えば以下に示す比較方法を採用すればよい。
【００９９】
第１の比較方法として、健常者から得られた末梢血に含まれる多血球サンプルを、（工程１）にて測定した貧血患者から得た末梢血に含まれる多血球サンプルと、同じ測定方法及び同じ測定条件で測定し、得られたＡＣＶＲ２Ｂの量を相対的に比較する方法が挙げられる。
【０１００】
比較した結果、ＡＣＶＲ２Ｂの量が多ければ多い程、上述のようなＭＤＳの病態である多血球の分化、成熟等の障害の程度が強いと決定する事ができるために、ＭＤＳの症状を発症していると決定することができる。
【０１０１】
従って（工程１）にて測定した貧血患者から得た末梢血に含まれる多血球におけるＡＣＶＲ２Ｂの量が、健常者から得られた末梢血に含まれる多血球におけるＡＣＶＲ２Ｂの量よりも多い場合、貧血患者の貧血の原因がＭＤＳであると決定することができる。            
【０１０２】
第２の比較方法として、健常者から得られた末梢血に含まれる多血球サンプルにおけるＡＣＶＲ２Ｂの量を予め測定しておき、その測定値よりも、（工程１）にて測定した貧血患者から得られた末梢血における多血球におけるＡＣＶＲ２Ｂの量が多い場合に、貧血患者の貧血の要因をＭＤＳと決定することができる。
【０１０３】
また、第２の比較方法における、貧血患者から得られた末梢血の多血球におけるＡＣＶＲ２Ｂの測定方法及び測定条件は、上述した第１の方法と同様に、予め測定した健常者から得られた末梢血に含まれる多血球におけるＡＣＶＲ２Ｂの測定方法及び測定条件と同じである。
【０１０４】
なお、予め測定した健常者から得られる末梢血の多血球におけるのＡＣＶＲ２Ｂの量（測定値）を一般化しておき、その一般化した数値（例えばカットオフ値と呼ばれる。）を基に、（工程１）にて測定した貧血患者から得られる末梢血に含まれる多血球におけるＡＣＶＲ２Ｂの量が多いか又は少ないかを比較してもよい。
【０１０５】
一般化した数値は、ある一定以上数の異なる健常者から得られる末梢血の多血球におけるＡＣＶＲ２Ｂの量を統計学的に解析し、単位末梢血量当たり、又は単位多血球量当たりの数値として一般化する方法が挙げられるが、このような方法は、公知の解析技術、統計学的技術等を用いればよく、上述の方法に限定はされない。
【０１０６】
＜白血病発症リスクを判定する方法＞
本発明の貧血患者の白血病発症リスクを判定する方法は、以下の工程１及び工程２を含む。
〔１〕前記患者から得た末梢血に含まれる多血球におけるＡＣＶＲ２Ｂの発現量を測定する工程１、
〔２〕工程１にて測定したＡＣＶＲ２Ｂの発現量が、健常者から得られる末梢血に含まれる多血球におけるＡＣＶＲ２Ｂの発現量より多い場合に、前記患者は白血病リスクがあると決定する工程２。
【０１０７】
〔工程１について〕
工程１は、貧血患者から得た末梢血に含まれる多血球におけるＡＣＶＲ２Ｂの発現量を測定する工程である。
【０１０８】
本工程は、上述の＜貧血の要因を検出する方法＞における（工程１）と同様にすればよい。
【０１０９】
〔工程２について〕
工程２は、上記〔工程１〕にて測定したＡＣＶＲ２Ｂの発現量が、健常者から得られる末梢血に含まれる多血球におけるＡＣＶＲ２Ｂの発現量より多い場合に、前記患者は白血病発症リスクがあると決定する工程である。
【０１１０】
健常者とは、上述の＜貧血の要因を検出する方法＞における（工程１）に記載の通りである。
【０１１１】
多血球とは、〔工程１〕にて測定する前記患者から得た末梢血に含まれる多血球と同様に定義されるものである。
【０１１２】
健常者から得られる末梢血に含まれる多血球におけるＡＣＶＲ２Ｂの発現量は、上述の〔工程１〕におけるＡＣＶＲ２Ｂの測定方法と同じ方法にて決定することができる。
【０１１３】
ここで、〔工程１〕にて測定した貧血患者から得た末梢血に含まれる多血球におけるＡＣＶＲ２Ｂの発現量と、健常者から得られる末梢血に含まれる多血球におけるＡＣＶＲ２Ｂの発現量の比較は、以下に示す比較方法を採用すればよい。
【０１１４】
第１の比較方法として、健常者から得られた末梢血に含まれる多血球サンプルを、〔工程１〕にて測定した貧血患者から得た末梢血に含まれる多血球サンプルと、同じ測定方法及び同じ測定条件で測定し、得られたＡＣＶＲ２Ｂの量を相対的に比較する方法が挙げられる。
【０１１５】
比較した結果、ＡＣＶＲ２Ｂの量が多ければ多い程、上述した多血球の分化、成熟等の障害の程度が強い事から、貧血患者が白血病を発症しやすいと決定することができるために、〔工程１〕にて測定した貧血患者から得た末梢血に含まれる多血球におけるＡＣＶＲ２Ｂの量が、健常者から得られた末梢血に含まれる多血球におけるＡＣＶＲ２Ｂの量よりも多い場合、貧血患者は白血病リスクがあると決定することができる。                      
【０１１６】
第２の比較方法として、健常者から得られた末梢血に含まれる多血球サンプルにおけるＡＣＶＲ２Ｂの量を予め測定しておき、その測定値よりも、〔工程１〕にて測定した貧血患者から得られた末梢血における多血球におけるＡＣＶＲ２Ｂの量が多い場合に、貧血患者は白血病発症リスクがあると決定することができる。
【０１１７】
また、第２の比較方法における、貧血患者から得られた末梢血の多血球におけるＡＣＶＲ２Ｂの測定方法及び測定条件は、上述した第１の方法と同様に、予め測定した健常者から得られた末梢血に含まれる多血球におけるＡＣＶＲ２Ｂの測定方法及び測定条件とそれぞれ同じである。
【０１１８】
なお、第２の比較方法において、上記〔工程１〕にて測定された貧血患者から得られる末梢血の多血球におけるＡＣＶＲ２Ｂの量と比較する対象数値は、上記＜貧血の要因を検出する方法＞にて説明したカットオフ値を同様に用いればよい。
【０１１９】
＜輸血の必要性及びその頻度を予測する方法＞
本発明の貧血患者の輸血の必要性及びその頻度を予測する方法は、以下の工程１及び工程２を含む。
｛１｝前記患者から得た末梢血に含まれる多血球におけるＡＣＶＲ２Ｂの発現量を測定する工程１、
｛２｝工程１にて測定したＡＣＶＲ２Ｂの発現量が、健常者から得られる末梢血に含まれる多血球におけるＡＣＶＲ２Ｂの発現量より多い場合に、前記患者について輸血が必要で、その頻度が、末梢血採取時における当該患者の輸血頻度よりも高いと決定する工程２。
【０１２０】
｛工程１について｝
工程１は、前記患者から得た末梢血に含まれる多血球におけるＡＣＶＲ２Ｂの発現量を測定する工程である。
【０１２１】
本工程は、上述の＜貧血の要因を検出する方法＞における（工程１）と同様にすればよい。
【０１２２】
｛工程２について｝
工程２は、上記工程１にて測定したＡＣＶＲ２Ｂの発現量が、健常者から得られる末梢血に含まれる多血球におけるＡＣＶＲ２Ｂの発現量より多い場合に、前記患者について輸血が必要であると判断する共に、末梢血採取時における当該患者の輸血頻度よりも、輸血頻度が高いと決定する工程である。
【０１２３】
工程２により、輸血頻度が高いと決定された貧血患者であって、末梢血採取時における輸血の回数が０回（貧血に対する輸血措置がなされていない）である患者は、少なくとも１回の輸血が必要であると決定され、末梢血採取時において貧血に対する輸血措置を少なくとも１回でも受けたことのある患者は、その回数よりも多い輸血回数が必要であると決定される。
【０１２４】
健常者とは、上述の＜貧血の要因を検出する方法＞における（工程１）に記載の通りである。
【０１２５】
多血球とは、｛工程１｝にて測定する前記患者から得た末梢血に含まれる多血球と同様に定義されるものである。
【０１２６】
健常者から得られる末梢血に含まれる多血球におけるＡＣＶＲ２Ｂの発現量は、上述の｛工程１｝におけるＡＣＶＲ２Ｂの測定方法と同じ方法にて決定することができる。
【０１２７】
ここで、｛工程１｝にて測定した貧血患者から得た末梢血に含まれる多血球におけるＡＣＶＲ２Ｂの発現量と、健常者から得られる末梢血に含まれる多血球におけるＡＣＶＲ２Ｂの発現量の比較は、以下に示す比較方法を採用すればよい。
【０１２８】
第１の比較方法として、健常者から得られた末梢血に含まれる多血球サンプルを、｛工程１｝にて測定した貧血患者から得た末梢血に含まれる多血球サンプルと、同じ測定方法及び同じ測定条件で測定し、得られたそれぞれのＡＣＶＲ２Ｂの量を相対的に比較する方法が挙げられる。
【０１２９】
比較した結果、ＡＣＶＲ２Ｂの量が多ければ多い程、貧血患者について輸血が必要で、その頻度が高いと決定することができるために、｛工程１｝にて測定した貧血患者から得た末梢血に含まれる多血球におけるＡＣＶＲ２Ｂの量が、健常者から得られた末梢血に含まれる多血球におけるＡＣＶＲ２Ｂの量よりも多い場合、貧血患者について輸血が必要で、その輸血頻度が高いと決定することができる。
【０１３０】
第２の比較方法として、健常者から得られた末梢血に含まれる多血球サンプルにおけるＡＣＶＲ２Ｂの量を予め測定しておき、その測定値よりも、｛工程１｝にて測定した貧血患者から得られた末梢血における多血球におけるＡＣＶＲ２Ｂの量が多い場合に、貧血患者について輸血が必要で、その頻度が高いと決定することができる。
【０１３１】
また、第２の比較方法における、貧血患者から得られた末梢血の多血球におけるＡＣＶＲ２Ｂの測定方法及び測定条件は、上述した第１の方法と同様に、予め測定した健常者から得られた末梢血に含まれる多血球におけるＡＣＶＲ２Ｂの測定方法及び測定条件と同じである。
【０１３２】
なお、第２の比較方法において、上記｛工程１｝にて測定された貧血患者から得られる末梢血の多血球におけるＡＣＶＲ２Ｂの量と比較する対象数値は、上記＜貧血の要因を検出する方法＞にて説明したカットオフ値を同様に用いればよい。
【０１３３】
輸血頻度が高いとは、末梢血採取時における輸血回数（０回を含む）と比較して、輸血の回数が多いことを意味し、これを言い換えると、貧血患者の将来の輸血回数が、末梢血採取時における輸血回数よりも増えることを意味する。  
【０１３４】
本発明の診断剤
本発明の診断剤は、貧血患者の＜貧血の要因をＭＤＳであると検出するための診断剤＞、＜白血病発症リスクを判定するための診断剤＞、及び＜輸血の必要性及びその頻度の診断剤＞を包含する。
【０１３５】
本発明の診断剤は、抗ＡＣＶＲ２Ｂ抗体を含む。抗ＡＣＶＲ２Ｂ抗体とは、上述の＜貧血の要因を検出する方法＞の（工程１）にて詳述したＡＣＶＲ２Ｂに対する抗体と同様である。
【０１３６】
診断剤そのものが抗ＡＣＶＲ２Ｂ抗体であっても、他の成分を含んでいてもよい。他の成分を含んでいる場合、診断剤における抗ＡＣＶＲ２Ｂ抗体の含有量は特に限定される事はないが、診断剤当たり、通常は０．０００１〜９９．９９重量部程度である。診断剤に含まれる他の成分とは、抗ＡＣＶＲ２Ｂ抗体の、ＡＣＶＲ２Ｂに対して特異的に結合する能力を発揮する範囲に限り、診断剤の分野で用いられる公知の成分であり、特に限定はされない。
【０１３７】
＜貧血の要因をＭＤＳであると検出するための診断剤＞
貧血の要因をＭＤＳであると検出するための診断剤は、後述する＜貧血の要因をＭＤＳであると検出するためのキット＞の構成要素の１つとして好適に用いられる。そして、上述の＜貧血の要因を検出する方法＞において記載した方法に従って有用に用いられる。
【０１３８】
＜白血病発症リスクを判定するための診断剤＞
白血病発症リスクを判定するための診断剤は、後述する＜白血病発症リスクを判定するためのキット＞の構成要素の１つとして好適に用いられる。そして、上述の＜白血病リスクを判定する方法＞において記載した方法に従って有用に用いられる。
【０１３９】
＜輸血の必要性及びその頻度の診断剤＞
輸血の必要性及びその頻度の診断剤は、後述する＜輸血の必要性及びその頻度を予測するためのキット＞の構成要素の１つとして好適に用いられる。そして、上述の＜輸血の必要性及びその頻度を予測する方法＞において記載した方法に従って有用に用いられる。
【０１４０】
本発明のキット
本発明のキットは、貧血患者の＜貧血の要因をＭＤＳであると検出するためのキット＞、＜白血病発症リスクを判定するためのキット＞、及び＜輸血の必要性及びその頻度を予測するためのキット＞を包含する。
【０１４１】
本発明のキットは、抗ＡＣＶＲ２Ｂ抗体を含む。抗ＡＣＶＲ２Ｂ抗体とは、＜貧血の要因を検出する方法＞の（工程１）にて詳述したＡＣＶＲ２Ｂに対する抗体と同様にすればよい。
【０１４２】
本発明のキットに包含される抗ＡＣＶＲ２Ｂ抗体は、ＡＣＶＲ２Ｂに対して特異的に結合する能力を発揮する抗体である範囲において、２種類以上の抗体を包含していてもよい。この場合、それぞれの抗体は別々の容器に充填されていてもよく、同一の容器に充填されていてもよい。
【０１４３】
なお、上述の抗ＡＣＶＲ２Ｂ抗体は、後述する本発明のキットに包含されていてもよい器具の底面等に吸着した態様で、本発明のキットに包含されていてもよい。
【０１４４】
本発明のキットには、多血球に特異的に発現するマーカーに対する抗体を更に含んでいてもよい。多血球とは、上記＜貧血の要因を検出する方法＞の（工程１）の通りであり、このような抗体は、具体的には上記＜貧血の要因を検出する方法＞の（工程１）にて記載したものである。
【０１４５】
また、本発明のキットには、適当な生化学的実験に主に用いられる器具を包含していてもよい。例えば、プレート、マルチウェルプレート、シール、ディッシュ、スポイト、キャピラリー、チューブ等が挙げられる。
【０１４６】
更に、本発明のキットには適当な生化学的試薬を包含していてもよく、例えば、緩衝液、適当な界面活性剤等を含む洗浄液、染色液、発色液、増感液、反応停止液；アビジン化化合物、ビオチン化化合物；抗イムノグロブリン抗体、標識化抗イムノグロブリン抗体；安定剤、防腐剤、保存剤、タンパク質分解酵素阻害剤；ＡＣＶＲ２Ｂ標準物質等が挙げられる。
【０１４７】
＜貧血の要因をＭＤＳであると検出するためのキット＞
貧血の要因をＭＤＳであると検出するためのキットは、上述の抗ＡＣＶＲ２Ｂ抗体を含む。
【０１４８】
貧血の要因をＭＤＳであると検出するためのキットは、上述の＜貧血患者の貧血の要因を検出する方法＞に、特に好適に用いることができる。従って、当該キットには当該方法について記載したプロトコールを含んでいてもよい。
【０１４９】
さらに、貧血の要因をＭＤＳであると検出するための他のキットに含まれる構成要素の何れか１つ以上を含んでいてもよい。構成要素とは、特に限定はされないが、例えば、抗ＣＤ３抗体、抗ＣＤ４抗体、抗ＣＤ５抗体、抗ＣＤ１０抗体、抗ＣＤ１３抗体、抗ＣＤ１９抗体、抗ＣＤ２０抗体、抗ＣＤ２３抗体、抗ＣＤ３３抗体、抗ＣＤ３４抗体、抗ＣＤ３８抗体、抗ＣＤ４５抗体、抗ＣＤ４５ＲＡ抗体、抗ＣＤ９０抗体、抗ＩｇＭ抗体、抗ＨＬＡ−ＤＲ抗体；抗ＣＤ７１抗体、抗ＧＰＡ抗体；抗ＣＤ４１抗体、抗ＣＤ４２ｂ抗体、抗ＣＤ６１抗体、抗ＣＤ６２Ｐ抗体、抗ＰＡＣ−１抗体等が挙げられる。等が挙げられる。これらの中でも、抗ＣＤ４５抗体、抗ＣＤ３４抗体、抗ＧＰＡ抗体等が好ましい。
【０１５０】
＜白血病発症リスクを判定するためのキット＞
白血病発症リスクを判定するためのキットは、上述の抗ＡＣＶＲ２Ｂ抗体を含む。
【０１５１】
白血病発症リスクを判定するためのキットは、上述の＜白血病発症リスクを判定する方法＞に、特に好適に用いることができる。従って、当該キットには当該方法について記載したプロトコールを含んでいてもよい。
【０１５２】
さらに、白血病発症リスクを判定するための他のキットに含まれる構成要素の何れか１つ以上を含んでいてもよい。このような構成要素として、例えば、抗Ｔｉｍ−３抗体等が挙げられる。このような構成要素を用いた白血病発症リスクを判定する方法は、上述の他のキットを使用する際の公知のプロトコールに従えばよい。
【０１５３】
なお、白血病発症リスクを判定するためのキットには、白血病のタイプを決定するためのキットの構成要素が含まれていてもよく、例えば、抗ＣＤ１ａ抗体、抗ＣＤ２抗体、抗ＣＤ３抗体、抗ＣＤ４抗体、抗ＣＤ５抗体、抗ＣＤ７抗体、抗ＣＤ８抗体、抗ＣＤ１０抗体、抗ＣＤ１３抗体、抗ＣＤ１４抗体、抗ＣＤ１９抗体、抗ＣＤ２０抗体、抗ＣＤ２２抗体、抗ＣＤ２３抗体、抗ＣＤ３３抗体、抗ＣＤ３４抗体、抗ＣＤ３８抗体、抗ＣＤ４１抗体、抗ＨＬＡ−ＤＲ抗体、抗ＣＤ５６抗体、抗ＣＤ２３５ａ：ＧＰＡ抗体などが挙げられる。
【０１５４】
このような構成要素を用いる事によって、白血病のタイピングを決定する方法は、上述の白血病のタイピングを決定するためのキットを使用する際の公知のプロトコールに従えばよい。
【０１５５】
＜輸血の必要性及びその頻度を予測するためのキット＞
輸血の必要性及びその頻度を予測するためのキットは、上述の抗ＡＣＶＲ２Ｂ抗体を含む。
【０１５６】
輸血の必要性及びその頻度を予測するためのキットは、上述の＜輸血の必要性及びその頻度を予測する方法＞に、特に好適に用いることができる。従って、当該キットには当該方法について記載したプロトコールを含んでいてもよい
さらに、輸血の必要性及びその頻度を予測するための他のキットに含まれる構成要素の何れか１つ以上を含んでいてもよい。構成要素とは、特に限定はされないが、例えば、抗フェリチン抗体、抗葉酸抗体、抗ビタミンＢ１２抗体等が挙げられる。
【０１５７】
本発明のバイオマーカー
本発明のバイオマーカーは、貧血患者の＜貧血の要因をＭＤＳであると決定するためのバイオマーカー＞、＜白血病発症リスクを判定するためのバイオマーカー＞、及び＜輸血の必要性及びその頻度を予測するためのバイオマーカー＞を包含する。
【０１５８】
＜貧血の要因をＭＤＳであると決定するためのバイオマーカー＞
貧血の要因をＭＤＳであると決定するためのバイオマーカーは、ＡＣＶＲ２ＢＡＣＶＲ２Ｂからなる。
【０１５９】
ＡＣＶＲ２Ｂとは、上述の通りである。このようなＡＣＶＲ２Ｂは、末梢血の多血球に存在する。末梢血とは上述の通りである。
【０１６０】
貧血の要因をＭＤＳと検出するためのバイオマーカーは、上述の＜貧血の要因を検出する方法＞において記載した方法に従って有用に用いられる。
【０１６１】
＜白血病発症リスクを判定するためのバイオマーカー＞
白血病発症リスクを判定するためのバイオマーカーは、ＡＣＶＲ２Ｂからなる。
【０１６２】
ＡＣＶＲ２Ｂとは、上述の通りである。このようなＡＣＶＲ２Ｂは、末梢血の多血球に存在する。末梢血とは上述の通りである。
【０１６３】
白血病発症リスクを判定するためのバイオマーカーは、上述の＜白血病発症リスクを判定する方法＞において記載した方法に従って有用に用いられる。
【０１６４】
＜輸血の必要性及びその頻度を予測するためのバイオマーカー＞
輸血の必要性及びその頻度を予測するためのバイオマーカーは、ＡＣＶＲ２Ｂからなる。
【０１６５】
ＡＣＶＲ２Ｂとは、上述の通りである。このようなＡＣＶＲ２Ｂは、末梢血の多血球に存在する。末梢血とは上述の通りである。
【０１６６】
輸血の必要性及びその頻度を予測するためのバイオマーカーは、上述の＜輸血の必要性及びその頻度を予測する方法＞において記載した方法に従って有用に用いられる。
【実施例】
【０１６７】
以下に示す実施例に基づいて、本発明を更に詳細に説明する。ただし、本発明が以下に示す実施例に限定されないのは言うまでもない。【０１６８】
＜抗体＞
本実施例にて用いた抗体は、以下の通りである。【０１６９】
【表１】
2014030683.tif 000002
【０１７０】
※上記抗体の他に、ｈｕｍａｎ  ＡＣＶＲ２Ｂ−ＡＰＣを、ｈｕｍａｎ  ＡＣＶＲ２Ｂ（ａｂｃａｍ）とＡＰＣ  ｃｏｎｊｕｇａｔｉｏｎ  ｋｉｔ  （Ｄｏｊｉｎｄｏ）を用い、常法に従って作製した。【０１７１】
＜各分化ステージの血球細胞の分取＞
定法に基づいて作製したＧａｔａ１−ＧＦＰトランスジェニックマウスの胎齢１６．５週目の胎仔から肝臓組織を採取し、その後、常法に従って細胞群に分散させた。得られた細胞群は、３ｍＬのＰＢＳで洗浄した後、３ｍＬのＭＡＣＳバッファーにて氷上で３０分間ブロッキング処理を行った。【０１７２】
次いで、氷上のまま、細胞群に上記表１に示す抗体である、ｍｏｕｓｅ  ＣＤ４５−ＰＥ、ｍｏｕｓｅ  Ｓｃａ１−ＰＥ、ｍｏｕｓｅ  ｃＫｉｔ、ｍｏｕｓｅ  ＣＤ７１−ＰＥ及び、ｍｏｕｓｅ  Ｔｅｒ１１９―ＰＢを加えて３０分間免疫反応させ、最後に氷上のまま３０分間ＤＲＡＱ５にて染色処理を施した。【０１７３】
これらの処理を施した細胞群をＢＤ  Ｂｉｏｓｃｉｅｎｃｅ社のフローサイトメトリー装置を用いて解析し、次いでセルソーター装置を用いて、各種造血分化ステージの細胞に分画した。結果を図１に示す。【０１７４】
図中、Ａでゲーティングされた領域は、正染性赤芽球の細胞集団であり、Ｂでゲーティングされた領域は、網赤芽球の細胞集団であった。また、図左下は、赤血球の細胞集団であった。【０１７５】
これらの中から、セルソーター装置を用いて、正染性赤芽球と網赤芽球の細胞集団をそれぞれ分取した。【０１７６】
＜分化マーカー候補の探索＞
上述の分取した正染性赤芽球と網赤芽球をＤＮＡアレイ法（アジレントテクノロジー社）に供し、それぞれの細胞集団内で発現している遺伝子を解析した。表２に、正染性赤芽球よりも網赤芽球の方が発現量の少ない遺伝子を示す。【０１７７】
【表２】
2014030683.tif 000003
【０１７８】
これらの遺伝子の中からＡｃｖｒ２ｂを選択し、正染性赤芽球、網赤芽球、及び赤血球の細胞集団にて発現するＡｃｖｒ２ｂのｍＲＮＡの量を常法に従って測定した。結果を、図２に示す。【０１７９】
図２に示す結果から、Ａｃｖｒ２ｂは、正染性赤芽球では著量発現しているのに対して、網赤芽球並びに赤血球では殆ど発現していないことが明らかとなった。正常な造血分化の過程において、正染性赤芽球、網赤芽球、赤血球の順に分化ステージが進むことに鑑みれば、Ａｃｖｒ２ｂ（ヒトタンパク質ホモログ名称：ＡＣＶＲ２Ｂ）は、正常な赤血球への成熟が見られないＭＤＳのバイオマーカーとして有用であることが示唆された。【０１８０】
＜ヒト末梢血におけるＡＣＶＲ２Ｂの発現量について＞
健常者、ＲＡ患者、及びＲＣＭＤ患者の末梢血を１〜２ｍＬずつ採取し、凝固を防ぐために、ＥＤＴＡ−２Ｎａで処理した。次いで、１ｘ１０６個の細胞をチューブへとり、３ｍＬのＰＢＳで３回、末梢血を洗浄し、氷上で３０分間３ｍＬのＭＡＣＳバッファーを用いてブロッキング処理に供した。その後、氷上のまま、末梢血に上記表１に示す抗体のうち、ｈｕｍａｎ  ＧＰＡ−ＦＩＴＣ、ｈｕｍａｎ  ＣＤ７１−ＰＥ、ｈｕｍａｎＣＤ４５−ＡＰＣ−Ｃｙ７、及びｈｕｍａｎ  ＡＣＴＲ−ＩＩＢ−ＡＰＣを加え、３０分間免疫反応を行った。【０１８１】
これらの処理を施した末梢血をＢＤ  Ｂｉｏｓｃｉｅｎｃｅ社のフローサイトメトリー装置を用いて解析した。結果を図３〜図６に示す。【０１８２】
これらの結果から、ＭＤＳ患者（ＲＡ及びＲＣＭＤ）は、健常者と比較して、明らかに末梢血の赤血球において、ＡＣＶＲ２Ｂの発現量が多いことが明らかであった。また、これは白血球においても同様の結果であった。また、図６から、ＭＤＳ患者は、貧血になりやすいとされる高齢者の健常者と比較しても、ＡＣＶＲ２Ｂの発現量は高く、他の要因（腎性貧血）で貧血が生じている患者と比較しても高いことが明らかとなった。【０１８３】
これらの結果から、末梢血から得られる赤血球及び／又は白血球におけるＡＣＶＲ２Ｂの発現量が健常者、健常高齢者、及び腎性貧血患者から得られたものと比較して大きい場合に、ＭＤＳが原因で貧血を生じていると決定することが可能であることが示唆された。また、これは、多血球の分化・成熟障害を反映する事から、ＭＤＳから白血病、特に急性白血病へ進展する可能性が高いことも示唆される。
【図１】
2014030683.tif 000004
【図２】
2014030683.tif 000005
【図３】
2014030683.tif 000006
【図４】
2014030683.tif 000007
【図５】
2014030683.tif 000008
【図６】
2014030683.tif 000009
【配列表】
2014030683000001.app
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
下記の工程１及び２を含む貧血患者の貧血の要因をＭＤＳと決定する方法；
（１）前記患者から得た末梢血に含まれる多血球におけるアクチビンレセプター２Ｂ（ＡＣＶＲ２Ｂ）の発現量を測定する工程１、
（２）工程１にて測定したＡＣＶＲ２Ｂの発現量が、健常者から得られる末梢血に含まれる多血球におけるＡＣＶＲ２Ｂの発現量よりも多い場合に、前記患者の貧血の要因が骨髄異形成症候群（ＭＤＳ）であると決定する工程２。
【請求項２】
ＭＤＳが、ＲＡ、ＲＣＭＤ、ＲＣＭＤ−ＲＳ、及びＲＡＥＢからなる群より選択される少なくとも１つである請求項１に記載の方法。
【請求項３】
下記の工程１及び２を含む貧血患者の白血病の発症リスクを決定する方法；
〔１〕前記患者から得た末梢血に含まれる多血球におけるＡＣＶＲ２Ｂの発現量を測定する工程１、
〔２〕工程１にて測定したＡＣＶＲ２Ｂの発現量が、健常者から得られる末梢血に含まれる多血球におけるＡＣＶＲ２Ｂの発現量より多い場合に、前記患者は白血病発症リスクがあると決定する工程２。
【請求項４】
白血病が、急性骨髄性白血病である、請求項３に記載の方法。
【請求項５】
下記の工程１及び２を含む貧血患者の輸血の必要性及びその頻度を決定する方法；
｛１｝前記患者から得た末梢血に含まれる多血球におけるＡＣＶＲ２Ｂの発現量を測定する工程１、
｛２｝工程１にて測定したＡＣＶＲ２Ｂの発現量が、健常者から得られる末梢血に含まれる多血球におけるＡＣＶＲ２Ｂの発現量より多い場合に、前記患者について輸血が必要で、その頻度が末梢血採取時における当該患者の輸血頻度よりも高いと決定する工程２。
【請求項６】
抗ＡＣＶＲ２Ｂ抗体を含む、貧血患者の貧血の要因をＭＤＳであると決定するための診断剤。
【請求項７】
ＭＤＳが、ＲＡ、ＲＣＭＤ、ＲＣＭＤ−ＲＳ、及びＲＡＥＢからなる群より選択される少なくとも１つである請求項６に記載の診断剤。
【請求項８】
抗ＡＣＶＲ２Ｂ抗体を含む、貧血患者の白血病発症リスクを決定するための診断剤。
【請求項９】
白血病が、急性骨髄性白血病である、請求項８に記載の診断剤。
【請求項１０】
抗ＡＣＶＲ２Ｂ抗体を含む、貧血患者の輸血の必要性及びその頻度を決定するための診断剤。
【請求項１１】
抗ＡＣＶＲ２Ｂ抗体を含む、貧血患者の貧血の要因をＭＤＳであると決定するためのキット。
【請求項１２】
ＭＤＳが、ＲＡ、ＲＣＭＤ、ＲＣＭＤ−ＲＳ、及びＲＡＥＢからなる群より選択される少なくとも１つである請求項１１に記載のキット。
【請求項１３】
抗ＡＣＶＲ２Ｂ抗体を含む、貧血患者の白血病発症リスクを決定するためのキット。
【請求項１４】
白血病が、急性骨髄性白血病である、請求項１３に記載のキット。
【請求項１５】
抗ＡＣＶＲ２Ｂ抗体を含む、貧血患者の輸血の必要性及びその頻度を決定するためのキット。
【請求項１６】
ＡＣＶＲ２Ｂからなる、貧血患者がＭＤＳであると決定するためのバイオマーカー。
【請求項１７】
ＡＣＶＲ２Ｂからなる、貧血患者の白血病発症リスクを決定するためのバイオマーカー。
【請求項１８】
ＡＣＶＲ２Ｂからなる、貧血患者の輸血の必要性及びその頻度を決定するためのバイオマーカー。
【手続補正３】
【補正対象書類名】明細書
【補正対象項目名】０００１
【補正方法】変更
【補正の内容】
【０００１】
技術分野
［０００１］
本発明は、貧血患者がＭＤＳであると決定するためのバイオマーカー、貧血患者の貧血の要因を決定する方法、及びそのためのキット並びに診断剤に関する。
［０００２］
また、本発明は、貧血患者の白血病発症リスクを決定するためのバイオマーカー、貧血患者の白血病発症リスクを決定する方法、及びそのためのキット並びに診断剤に関する。
［０００３］
更に、本発明は、貧血患者の輸血の必要性及びその頻度を決定するためのバイオマーカー、貧血患者の輸血の必要性及びその頻度を決定する方法、及びこれらに用いられるキット並びに診断剤に関する。
背景技術
［０００４］
貧血の症状を訴える患者を診断するには、その原因を調べる必要がある。通常であれば、患者の症状や身体状態の問診に加え、末梢血中の末梢血のヘモグロビン値を測定して確定診断を行った後、赤血球、白血球、血小板等の血液細胞の数、鉄分、ビタミン類等の量の検査等を行う。
［０００５］
それでもなお、貧血の原因が掴めない場合は、患者から骨髄穿刺によって検体を採取して骨髄中の造血の状態、芽球の有無、異常染色体の有無等といった、多血球の形態学的な情報を、熟練した技術、所謂、巧の技を習得した血液専門医によって調べる必要がある。
この様な方法によって、ようやく骨髄異形成症候群（ＭＤＳ）の診断が可能となる。
［０００６］
ＭＤＳとは血液腫瘍の一種で、血球の量、質等が異常となる疾患である。そして、ＭＤＳとは、前白血病状態を引き起こして造血障害を来たし、その予後も悪く、急性骨髄性白血病に移行することが知られている。また、血球
【手続補正４】
【補正対象書類名】明細書
【補正対象項目名】０００４
【補正方法】変更
【補正の内容】
【０００４】
ＭＤＳの診断方法の開発が求められる。そこで、造血分化過程において、例えばマウスではＳｃａ−１、ｃ−ｋｉｔ、ＣＤ７１、Ｇａｔａ１、Ｔｅｒ１１９等が、ヒトでは、ＣＤ３４、ＣＤ７１、ＧＰＡ（Ｇｌｙｃｏｐｈｏｒｉｎ  Ａ）等が発現することが知られており、これらをバイオマーカーとしたＭＤＳの診断方法が開発されつつあるが、何れも実用に耐え難く実現していない。
［００１９］
また、本発明者は、上述の様に造血に関与することが知られているアクチビンの受容体の１つであるＡＣＶＲ２Ｂが造血分化の過程に関与するかどうかは明確ではないことも見出している。
［００２０］
さらに、ＷＴ１をコードするｍＲＮＡを用いたキットは、末梢血から全ＲＮＡを採取する必要があると言う点で簡便とはいえない。
［００２１］
上記現状に鑑み、本発明の主な課題は、貧血の原因を決定するための方法を提供すること、特に骨髄穿刺を行わない、血液専門医の決定を必要としない等といった、簡便な方法で決定する方法を提供することである。更に、本発明の課題には、貧血患者が、白血病が発症しやすい状態かどうかを決定するための簡便な方法を提供することも含まれる。そして、本発明の課題には、貧血患者の輸血の必要性及びその頻度を決定する方法も含まれる。
課題を解決するための手段
［００２２］
本発明者は、Ｇａｔａ１―ＧＦＰトランスジェニックマウスを用いた実験によって、造血幹細胞から分化各ステージに分類される細胞群である、正染性赤芽球、網赤芽球、及び赤血球を分離することに成功した。
［００２３］
これらの分離された、それぞれの細胞群に関して更に研究を重ねた結果、ＡＣＶＲ２Ｂの発現量が、細胞群間において顕著に異なることを見出した。
［００２４］
本発明は、斯かる知見に基づいてなされたものであり、下記に示す広い態様の発明を包含するものである。
［００２５］
項１  下記の工程１及び２を含む貧血患者の貧血の要因をＭＤＳと決定する方法；
（１）前記患者から得た末梢血に含まれる多血球におけるアクチビンレセプター２Ｂ（ＡＣＶＲ２Ｂ）の発現量を測定する工程１、
【手続補正５】
【補正対象書類名】明細書
【補正対象項目名】０００５
【補正方法】変更
【補正の内容】
【０００５】
（２）工程１にて測定したＡＣＶＲ２Ｂの発現量が、健常者から得られる末梢血に含まれる多血球におけるＡＣＶＲ２Ｂの発現量よりも多い場合に、前記患者の貧血の要因がＭＤＳであると決定する工程２。
［００２６］
項２  前記多血球が、赤血球、白血球、及び血小板からなる群より選択される一つ以上である、項１に記載の方法。
［００２７］
項３  ＭＤＳが、ＲＡ、ＲＣＭＤ、ＲＣＭＤ−ＲＳ、及びＲＡＥＢからなる群より選択される少なくとも１つである項１又は２に記載の方法。
［００２８］
項４  下記の工程１及び２を含む貧血患者の白血病発症リスクを決定する方法；
〔１〕前記患者から得た末梢血に含まれる多血球におけるＡＣＶＲ２Ｂの発現量を測定する工程１、
〔２〕工程１にて測定したＡＣＶＲ２Ｂの発現量が、健常者から得られる末梢血に含まれる多血球におけるＡＣＶＲ２Ｂの発現量より多い場合に、前記患者は白血病発症リスクがあると決定する工程２。
［００２９］
項５  前記多血球が、赤血球、白血球、及び血小板からなる群より選択される一つ以上である、項４に記載の方法。
［００３０］
項６  白血病が、急性骨髄性白血病である、項４又は５に記載の方法。
［００３１］
項７  下記の工程１及び２を含む貧血患者の輸血の必要性又はその頻度を決定する方法；
｛１｝前記患者から得た末梢血に含まれる多血球におけるＡＣＶＲ２Ｂの発現量を測定する工程１、
｛２｝工程１にて測定したＡＣＶＲ２Ｂの発現量が、健常者から得られる末梢血に含まれる多血球におけるＡＣＶＲ２Ｂの発現量より多い場合に、前記患者について輸血が必要でその頻度が、末梢血採取時における当該患者の輸血頻度よりも高いと決定する工程２。
［００３２］
項８  前記多血球が、赤血球、白血球、及び血小板からなる群より選択される何れか１つである、項７に記載の方法。
［００３３］
項９  白血病が、急性骨髄性白血病である、項７又は８に記載の方法。
【手続補正６】
【補正対象書類名】明細書
【補正対象項目名】０００６
【補正方法】変更
【補正の内容】
【０００６】
［００３４］
項１０  抗ＡＣＶＲ２Ｂ抗体を含む、貧血患者の貧血の要因をＭＤＳであると決定するための診断剤。
［００３５］
項１１  ＭＤＳが、ＲＡ、ＲＣＭＤ、ＲＣＭＤ−ＲＳ、及びＲＡＥＢからなる群より選択される少なくとも１つである、項１０に記載の診断剤。
［００３６］
項１２  抗ＡＣＶＲ２Ｂ抗体を含む、貧血患者の貧血の要因をＭＤＳであると決定するためのキット。
［００３７］
項１３  ＭＤＳが、ＲＡ、ＲＣＭＤ、ＲＣＭＤ−ＲＳ、及びＲＡＥＢからなる群より選択される少なくとも１つである、項１２に記載のキット。
［００３８］
項１４  抗ＡＣＶＲ２Ｂ抗体を含む、貧血患者の白血病発症リスクを決定するための診断剤。
［００３９］
項１５  白血病が、急性骨髄性白血病である、項１４に記載の診断剤。
［００４０］
項１６  抗ＡＣＶＲ２Ｂ抗体を含む、貧血患者の白血病発症リスクを決定するためのキット。
［００４１］
項１７  白血病が、急性骨髄性白血病である、項１６に記載のキット。
［００４２］
項１８  抗ＡＣＶＲ２Ｂ抗体を含む、貧血患者の輸血の必要性及びその頻度を決定するための診断剤。
［００４３］
項１９  抗ＡＣＶＲ２Ｂ抗体を含む、貧血患者の輸血の必要性及びその頻度を決定するためのキット。
［００４４］
項２０  ＡＣＶＲ２Ｂからなる、貧血患者の貧血の要因をＭＤＳであると決定するためのバイオマーカー。
［００４５］
項２１  ＭＤＳが、ＲＡ、ＲＣＭＤ、ＲＣＭＤ−ＲＳ、及びＲＡＥＢからなる群より選択される少なくとも１つである、項２０に記載のバイオマーカー。
［００４６］
項２２  ＡＣＶＲ２Ｂからなる、貧血患者の貧血患者の白血病発症リスクを決定するためのバイオマーカー。
［００４７］
項２３  白血病が、急性骨髄性白血病である、項２２に記載のバイオマーカー。
［００４８］
項２４  ＡＣＶＲ２Ｂからなる、貧血患者の貧血の患者の輸血の必要性及
【手続補正７】
【補正対象書類名】明細書
【補正対象項目名】０００７
【補正方法】変更
【補正の内容】
【０００７】
びその頻度を決定するためのバイオマーカー。
発明の効果
［００４９］
以下に、本発明の効果について記載する。ただし、本願発明が、以下に示す効果の全てを有する発明に限定されず、少なくとも何れか１つの効果を有する発明であることは言うまでもない。
［００５０］
本発明に係る方法、診断剤、キット、又はバイオマーカーを用いることによって、従来ＭＤＳを診断する上で行われる、患者に負担のかかる骨髄穿刺を行わずに診断することが可能である点で優れている。そして、高度な技術を有する血液専門医によらずにＭＤＳの診断が可能である点においても非常に優れている。
［００５１］
また、本発明に係る方法、診断剤、キット、又はバイオマーカーは、貧血の原因をＭＤＳと簡便な方法によって決定づけるのに特に有用である。このことは、一般クリニックにおける外来患者を専門医に紹介するに必要な患者のエビデンスを十分に、且つ簡便に得ることが可能である点において優れている。
［００５２］
特に、貧血の患者はほぼ毎日、外来に訪れるため、ＭＤＳといった非常に重篤な疾患を早い段階で診断する点においても非常に有用である。
［００５３］
更に、本発明の方法、診断剤、キット、又はバイオマーカーは、ＭＤＳから白血病への進行の予測に有効に用いられる。
［００５４］
ＭＤＳは白血病に進行し易い事が知られており、結果として白血病を発症してしまうと、骨髄内で白血病細胞が激しく増殖し、正常に血球を作る事ができず、延いては赤血球を作れなくなる事に伴うことで貧血の状態となり、ＭＤＳの治療の際には輸血が必要になる事も知られている。また、ＭＤＳとは赤血球への分化、成熟等において障害が認められる事から、ＭＤＳそのものの治療にも輸血が必要である。
［００５５］
以上のことから、本発明の方法、診断剤、キット、又はバイオマーカーは、輸血の必要性及びその頻度を決定することにおいても非常に有用である。
図面の簡単な説明
【手続補正８】
【補正対象書類名】明細書
【補正対象項目名】００１２
【補正方法】変更
【補正の内容】
【００１２】
［００７５］
本明細書にて用いる用語「発現量」とは、ｍＲＮＡの発現量ではなく、ｍＲＮＡを基に翻訳されたタンパク質の発現量であることを意味する。
［００７６］
本明細書にて用いる用語「バイオマーカー」とは、糖質、脂質、タンパク質、等の生体由来の物質で、生体内の生物学的変化を定量的に把握するための指標となるものを指す。
［００７７］
より具体的に、バイオマーカーとは、病気等の現状を把握するために用いられる現状を診断又は判定するための指標としての役割と、疾患等の予防や病状の推移を予測するための予測診断又は推定するための指標としての役割を有するものである。
［００７８］
本発明の方法
本発明の方法は、貧血患者の＜貧血の要因を決定する方法＞、＜白血病発症リスクを決定する方法＞、及び＜輸血の必要性及びその頻度を決定する方法＞を包含する。
［００７９］
＜貧血の要因を決定する方法＞
本発明の貧血患者の貧血の要因を決定する方法は、以下の工程１及び工程２を含む。
（１）前記患者から得た末梢血に含まれる多血球におけるＡＣＶＲ２Ｂの発現量を測定する工程１、
（２）工程１にて測定したＡＣＶＲ２Ｂの発現量が、健常者から得られる末梢血に含まれる多血球におけるＡＣＶＲ２Ｂの発現量よりも多い場合に、前記患者の貧血の要因がＭＤＳであると決定する工程２。
［００８０］
（工程１について）
工程１は、貧血患者から得た末梢血に含まれる多血球におけるＡＣＶＲ２Ｂの発現量を測定する工程である。
［００８１］
末梢血とは血管内に存在する血液を意味する。このような末梢血は、ヒトの血管内に注射針等を刺して採取すればよい。注射針等は、例えば金属製のものを用いればよく、サーフロー（登録商標）のような留置張りを用いてもよい。プラスチック製の注射針を金属針と共に血管内に刺して、それを留置
【手続補正９】
【補正対象書類名】明細書
【補正対象項目名】００１６
【補正方法】変更
【補正の内容】
【００１６】
ＶＲ２Ｂの測定方法及び測定条件と同じである。
［０１０４］
なお、予め測定した健常者から得られる末梢血の多血球におけるのＡＣＶＲ２Ｂの量（測定値）を一般化しておき、その一般化した数値（例えばカットオフ値と呼ばれる。）を基に、（工程１）にて測定した貧血患者から得られる末梢血に含まれる多血球におけるＡＣＶＲ２Ｂの量が多いか又は少ないかを比較してもよい。
［０１０５］
一般化した数値は、ある一定以上数の異なる健常者から得られる末梢血の多血球におけるＡＣＶＲ２Ｂの量を統計学的に解析し、単位末梢血量当たり、又は単位多血球量当たりの数値として一般化する方法が挙げられるが、このような方法は、公知の解析技術、統計学的技術等を用いればよく、上述の方法に限定はされない。
［０１０６］
＜白血病発症リスクを決定する方法＞
本発明の貧血患者の白血病発症リスクを決定する方法は、以下の工程１及び工程２を含む。
〔１〕前記患者から得た末梢血に含まれる多血球におけるＡＣＶＲ２Ｂの発現量を測定する工程１、
〔２〕工程１にて測定したＡＣＶＲ２Ｂの発現量が、健常者から得られる末梢血に含まれる多血球におけるＡＣＶＲ２Ｂの発現量より多い場合に、前記患者は白血病リスクがあると決定する工程２。
［０１０７］
〔工程１について〕
工程１は、貧血患者から得た末梢血に含まれる多血球におけるＡＣＶＲ２Ｂの発現量を測定する工程である。
［０１０８］
本工程は、上述の＜貧血の要因を決定する方法＞における（工程１）と同様にすればよい。
［０１０９］
〔工程２について〕
工程２は、上記〔工程１〕にて測定したＡＣＶＲ２Ｂの発現量が、健常者から得られる末梢血に含まれる多血球におけるＡＣＶＲ２Ｂの発現量より多い場合に、前記患者は白血病発症リスクがあると決定する工程である。
【手続補正１０】
【補正対象書類名】明細書
【補正対象項目名】００１７
【補正方法】変更
【補正の内容】
【００１７】
［０１１０］
健常者とは、上述の＜貧血の要因を決定する方法＞における（工程１）に記載の通りである。
［０１１１］
多血球とは、〔工程１〕にて測定する前記患者から得た末梢血に含まれる多血球と同様に定義されるものである。
［０１１２］
健常者から得られる末梢血に含まれる多血球におけるＡＣＶＲ２Ｂの発現量は、上述の〔工程１〕におけるＡＣＶＲ２Ｂの測定方法と同じ方法にて決定することができる。
［０１１３］
ここで、〔工程１〕にて測定した貧血患者から得た末梢血に含まれる多血球におけるＡＣＶＲ２Ｂの発現量と、健常者から得られる末梢血に含まれる多血球におけるＡＣＶＲ２Ｂの発現量の比較は、以下に示す比較方法を採用すればよい。
［０１１４］
第１の比較方法として、健常者から得られた末梢血に含まれる多血球サンプルを、〔工程１〕にて測定した貧血患者から得た末梢血に含まれる多血球サンプルと、同じ測定方法及び同じ測定条件で測定し、得られたＡＣＶＲ２Ｂの量を相対的に比較する方法が挙げられる。
［０１１５］
比較した結果、ＡＣＶＲ２Ｂの量が多ければ多い程、上述した多血球の分化、成熟等の障害の程度が強い事から、貧血患者が白血病を発症しやすいと決定することができるために、〔工程１〕にて測定した貧血患者から得た末梢血に含まれる多血球におけるＡＣＶＲ２Ｂの量が、健常者から得られた末梢血に含まれる多血球におけるＡＣＶＲ２Ｂの量よりも多い場合、貧血患者は白血病リスクがあると決定することができる。
［０１１６］
第２の比較方法として、健常者から得られた末梢血に含まれる多血球サンプルにおけるＡＣＶＲ２Ｂの量を予め測定しておき、その測定値よりも、〔工程１〕にて測定した貧血患者から得られた末梢血における多血球におけるＡＣＶＲ２Ｂの量が多い場合に、貧血患者は白血病発症リスクがあると決定することができる。
［０１１７］
また、第２の比較方法における、貧血患者から得られた末梢血の多血球におけるＡＣＶＲ２Ｂの測定方法及び測定条件は、上述した第１の方法と同様
【手続補正１１】
【補正対象書類名】明細書
【補正対象項目名】００１８
【補正方法】変更
【補正の内容】
【００１８】
に、予め測定した健常者から得られた末梢血に含まれる多血球におけるＡＣＶＲ２Ｂの測定方法及び測定条件とそれぞれ同じである。
［０１１８］
なお、第２の比較方法において、上記〔工程１〕にて測定された貧血患者から得られる末梢血の多血球におけるＡＣＶＲ２Ｂの量と比較する対象数値は、上記＜貧血の要因を決定する方法＞にて説明したカットオフ値を同様に用いればよい。
［０１１９］
＜輸血の必要性及びその頻度を決定する方法＞
本発明の貧血患者の輸血の必要性及びその頻度を決定する方法は、以下の工程１及び工程２を含む。
｛１｝前記患者から得た末梢血に含まれる多血球におけるＡＣＶＲ２Ｂの発現量を測定する工程１、
｛２｝工程１にて測定したＡＣＶＲ２Ｂの発現量が、健常者から得られる末梢血に含まれる多血球におけるＡＣＶＲ２Ｂの発現量より多い場合に、前記患者について輸血が必要で、その頻度が、末梢血採取時における当該患者の輸血頻度よりも高いと決定する工程２。
［０１２０］
｛工程１について｝
工程１は、前記患者から得た末梢血に含まれる多血球におけるＡＣＶＲ２Ｂの発現量を測定する工程である。
［０１２１］
本工程は、上述の＜貧血の要因を決定する方法＞における（工程１）と同様にすればよい。
［０１２２］
｛工程２について｝
工程２は、上記工程１にて測定したＡＣＶＲ２Ｂの発現量が、健常者から得られる末梢血に含まれる多血球におけるＡＣＶＲ２Ｂの発現量より多い場合に、前記患者について輸血が必要であると判断する共に、末梢血採取時における当該患者の輸血頻度よりも、輸血頻度が高いと決定する工程である。
［０１２３］
工程２により、輸血頻度が高いと決定された貧血患者であって、末梢血採取時における輸血の回数が０回（貧血に対する輸血措置がなされていない）である患者は、少なくとも１回の輸血が必要であると決定され、末梢血採取
【手続補正１２】
【補正対象書類名】明細書
【補正対象項目名】００１９
【補正方法】変更
【補正の内容】
【００１９】
時において貧血に対する輸血措置を少なくとも１回でも受けたことのある患者は、その回数よりも多い輸血回数が必要であると決定される。
［０１２４］
健常者とは、上述の＜貧血の要因を決定する方法＞における（工程１）に記載の通りである。
［０１２５］
多血球とは、｛工程１｝にて測定する前記患者から得た末梢血に含まれる多血球と同様に定義されるものである。
［０１２６］
健常者から得られる末梢血に含まれる多血球におけるＡＣＶＲ２Ｂの発現量は、上述の｛工程１｝におけるＡＣＶＲ２Ｂの測定方法と同じ方法にて決定することができる。
［０１２７］
ここで、｛工程１｝にて測定した貧血患者から得た末梢血に含まれる多血球におけるＡＣＶＲ２Ｂの発現量と、健常者から得られる末梢血に含まれる多血球におけるＡＣＶＲ２Ｂの発現量の比較は、以下に示す比較方法を採用すればよい。
［０１２８］
第１の比較方法として、健常者から得られた末梢血に含まれる多血球サンプルを、｛工程１｝にて測定した貧血患者から得た末梢血に含まれる多血球サンプルと、同じ測定方法及び同じ測定条件で測定し、得られたそれぞれのＡＣＶＲ２Ｂの量を相対的に比較する方法が挙げられる。
［０１２９］
比較した結果、ＡＣＶＲ２Ｂの量が多ければ多い程、貧血患者について輸血が必要で、その頻度が高いと決定することができるために、｛工程１｝にて測定した貧血患者から得た末梢血に含まれる多血球におけるＡＣＶＲ２Ｂの量が、健常者から得られた末梢血に含まれる多血球におけるＡＣＶＲ２Ｂの量よりも多い場合、貧血患者について輸血が必要で、その輸血頻度が高いと決定することができる。
［０１３０］
第２の比較方法として、健常者から得られた末梢血に含まれる多血球サンプルにおけるＡＣＶＲ２Ｂの量を予め測定しておき、その測定値よりも、｛工程１｝にて測定した貧血患者から得られた末梢血における多血球におけるＡＣＶＲ２Ｂの量が多い場合に、貧血患者について輸血が必要で、その頻度が高いと決定することができる。
【手続補正１３】
【補正対象書類名】明細書
【補正対象項目名】００２０
【補正方法】変更
【補正の内容】
【００２０】
［０１３１］
また、第２の比較方法における、貧血患者から得られた末梢血の多血球におけるＡＣＶＲ２Ｂの測定方法及び測定条件は、上述した第１の方法と同様に、予め測定した健常者から得られた末梢血に含まれる多血球におけるＡＣＶＲ２Ｂの測定方法及び測定条件と同じである。
［０１３２］
なお、第２の比較方法において、上記｛工程１｝にて測定された貧血患者から得られる末梢血の多血球におけるＡＣＶＲ２Ｂの量と比較する対象数値は、上記＜貧血の要因を決定する方法＞にて説明したカットオフ値を同様に用いればよい。
［０１３３］
輸血頻度が高いとは、末梢血採取時における輸血回数（０回を含む）と比較して、輸血の回数が多いことを意味し、これを言い換えると、貧血患者の将来の輸血回数が、末梢血採取時における輸血回数よりも増えることを意味する。
［０１３４］
本発明の診断剤
本発明の診断剤は、貧血患者の＜貧血の要因をＭＤＳであると決定するための診断剤＞、＜白血病発症リスクを決定するための診断剤＞、及び＜輸血の必要性及びその頻度を決定するための診断剤＞を包含する。
［０１３５］
本発明の診断剤は、抗ＡＣＶＲ２Ｂ抗体を含む。抗ＡＣＶＲ２Ｂ抗体とは、上述の＜貧血の要因を決定する方法＞の（工程１）にて詳述したＡＣＶＲ２Ｂに対する抗体と同様である。
［０１３６］
診断剤そのものが抗ＡＣＶＲ２Ｂ抗体であっても、他の成分を含んでいてもよい。他の成分を含んでいる場合、診断剤における抗ＡＣＶＲ２Ｂ抗体の含有量は特に限定される事はないが、診断剤当たり、通常は０．０００１〜９９．９９重量部程度である。診断剤に含まれる他の成分とは、抗ＡＣＶＲ２Ｂ抗体の、ＡＣＶＲ２Ｂに対して特異的に結合する能力を発揮する範囲に限り、診断剤の分野で用いられる公知の成分であり、特に限定はされない。
［０１３７］
＜貧血の要因をＭＤＳであると決定するための診断剤＞
貧血の要因をＭＤＳであると決定するための診断剤は、後述する＜貧血の要因をＭＤＳであると決定するためのキット＞の構成要素の１つとして好適
【手続補正１４】
【補正対象書類名】明細書
【補正対象項目名】００２１
【補正方法】変更
【補正の内容】
【００２１】
に用いられる。そして、上述の＜貧血の要因を決定する方法＞において記載した方法に従って有用に用いられる。
［０１３８］
＜白血病発症リスクを決定するための診断剤＞
白血病発症リスクを決定するための診断剤は、後述する＜白血病発症リスクを決定するためのキット＞の構成要素の１つとして好適に用いられる。そして、上述の＜白血病リスクを決定する方法＞において記載した方法に従って有用に用いられる。
［０１３９］
＜輸血の必要性及びその頻度を決定するための診断剤＞
輸血の必要性及びその頻度を決定するための診断剤は、後述する＜輸血の必要性及びその頻度を決定するためのキット＞の構成要素の１つとして好適に用いられる。そして、上述の＜輸血の必要性及びその頻度を決定する方法＞において記載した方法に従って有用に用いられる。
［０１４０］
本発明のキット
本発明のキットは、貧血患者の＜貧血の要因をＭＤＳであると決定するためのキット＞、＜白血病発症リスクを決定するためのキット＞、及び＜輸血の必要性及びその頻度を決定するためのキット＞を包含する。
［０１４１］
本発明のキットは、抗ＡＣＶＲ２Ｂ抗体を含む。抗ＡＣＶＲ２Ｂ抗体とは、＜貧血の要因を決定する方法＞の（工程１）にて詳述したＡＣＶＲ２Ｂに対する抗体と同様にすればよい。
［０１４２］
本発明のキットに包含される抗ＡＣＶＲ２Ｂ抗体は、ＡＣＶＲ２Ｂに対して特異的に結合する能力を発揮する抗体である範囲において、２種類以上の抗体を包含していてもよい。この場合、それぞれの抗体は別々の容器に充填されていてもよく、同一の容器に充填されていてもよい。
［０１４３］
なお、上述の抗ＡＣＶＲ２Ｂ抗体は、後述する本発明のキットに包含されていてもよい器具の底面等に吸着した態様で、本発明のキットに包含されていてもよい。
［０１４４］
本発明のキットには、多血球に特異的に発現するマーカーに対する抗体を更に含んでいてもよい。多血球とは、上記＜貧血の要因を決定する方法＞の
【手続補正１５】
【補正対象書類名】明細書
【補正対象項目名】００２２
【補正方法】変更
【補正の内容】
【００２２】
（工程１）の通りであり、このような抗体は、具体的には上記＜貧血の要因を決定する方法＞の（工程１）にて記載したものである。
［０１４５］
また、本発明のキットには、適当な生化学的実験に主に用いられる器具を包含していてもよい。例えば、プレート、マルチウェルプレート、シール、ディッシュ、スポイト、キャピラリー、チューブ等が挙げられる。
［０１４６］
更に、本発明のキットには適当な生化学的試薬を包含していてもよく、例えば、緩衝液、適当な界面活性剤等を含む洗浄液、染色液、発色液、増感液、反応停止液；アビジン化化合物、ビオチン化化合物；抗イムノグロブリン抗体、標識化抗イムノグロブリン抗体；安定剤、防腐剤、保存剤、タンパク質分解酵素阻害剤；ＡＣＶＲ２Ｂ標準物質等が挙げられる。
［０１４７］
＜貧血の要因をＭＤＳであると決定するためのキット＞
貧血の要因をＭＤＳであると決定するためのキットは、上述の抗ＡＣＶＲ２Ｂ抗体を含む。
［０１４８］
貧血の要因をＭＤＳであると決定するためのキットは、上述の＜貧血患者の貧血の要因を決定する方法＞に、特に好適に用いることができる。従って、当該キットには当該方法について記載したプロトコールを含んでいてもよい。
［０１４９］
さらに、貧血の要因をＭＤＳであると検出するための他のキットに含まれる構成要素の何れか１つ以上を含んでいてもよい。構成要素とは、特に限定はされないが、例えば、抗ＣＤ３抗体、抗ＣＤ４抗体、抗ＣＤ５抗体、抗ＣＤ１０抗体、抗ＣＤ１３抗体、抗ＣＤ１９抗体、抗ＣＤ２０抗体、抗ＣＤ２３抗体、抗ＣＤ３３抗体、抗ＣＤ３４抗体、抗ＣＤ３８抗体、抗ＣＤ４５抗体、抗ＣＤ４５ＲＡ抗体、抗ＣＤ９０抗体、抗ＩｇＭ抗体、抗ＨＬＡ−ＤＲ抗体；抗ＣＤ７１抗体、抗ＧＰＡ抗体；抗ＣＤ４１抗体、抗ＣＤ４２ｂ抗体、抗ＣＤ６１抗体、抗ＣＤ６２Ｐ抗体、抗ＰＡＣ−１抗体等が挙げられる。これらの中でも、抗ＣＤ４５抗体、抗ＣＤ３４抗体、抗ＧＰＡ抗体等が好ましい。
［０１５０］
＜白血病発症リスクを決定するためのキット＞
【手続補正１６】
【補正対象書類名】明細書
【補正対象項目名】００２３
【補正方法】変更
【補正の内容】
【００２３】
白血病発症リスクを決定するためのキットは、上述の抗ＡＣＶＲ２Ｂ抗体を含む。
［０１５１］
白血病発症リスクを決定するためのキットは、上述の＜白血病発症リスクを決定する方法＞に、特に好適に用いることができる。従って、当該キットには当該方法について記載したプロトコールを含んでいてもよい。
［０１５２］
さらに、白血病発症リスクを決定するための他のキットに含まれる構成要素の何れか１つ以上を含んでいてもよい。このような構成要素として、例えば、抗Ｔｉｍ−３抗体等が挙げられる。このような構成要素を用いた白血病発症リスクを決定する方法は、上述の他のキットを使用する際の公知のプロトコールに従えばよい。
［０１５３］
なお、白血病発症リスクを決定するためのキットには、白血病のタイプを決定するためのキットの構成要素が含まれていてもよく、例えば、抗ＣＤ１ａ抗体、抗ＣＤ２抗体、抗ＣＤ３抗体、抗ＣＤ４抗体、抗ＣＤ５抗体、抗ＣＤ７抗体、抗ＣＤ８抗体、抗ＣＤ１０抗体、抗ＣＤ１３抗体、抗ＣＤ１４抗体、抗ＣＤ１９抗体、抗ＣＤ２０抗体、抗ＣＤ２２抗体、抗ＣＤ２３抗体、抗ＣＤ３３抗体、抗ＣＤ３４抗体、抗ＣＤ３８抗体、抗ＣＤ４１抗体、抗ＨＬＡ−ＤＲ抗体、抗ＣＤ５６抗体、抗ＣＤ２３５ａ：ＧＰＡ抗体などが挙げられる。
［０１５４］
このような構成要素を用いる事によって、白血病のタイピングを決定する方法は、上述の白血病のタイピングを決定するためのキットを使用する際の公知のプロトコールに従えばよい。
［０１５５］
＜輸血の必要性及びその頻度を決定するためのキット＞
輸血の必要性及びその頻度を決定するためのキットは、上述の抗ＡＣＶＲ２Ｂ抗体を含む。
［０１５６］
輸血の必要性及びその頻度を決定するためのキットは、上述の＜輸血の必要性及びその頻度を決定する方法＞に、特に好適に用いることができる。従って、当該キットには当該方法について記載したプロトコールを含んでいてもよい。
【手続補正１７】
【補正対象書類名】明細書
【補正対象項目名】００２４
【補正方法】変更
【補正の内容】
【００２４】
さらに、輸血の必要性及びその頻度を決定するための他のキットに含まれる構成要素の何れか１つ以上を含んでいてもよい。構成要素とは、特に限定はされないが、例えば、抗フェリチン抗体、抗葉酸抗体、抗ビタミンＢ１２抗体等が挙げられる。
［０１５７］
本発明のバイオマーカー
本発明のバイオマーカーは、貧血患者の＜貧血の要因をＭＤＳであると決定するためのバイオマーカー＞、＜白血病発症リスクを決定するためのバイオマーカー＞、及び＜輸血の必要性及びその頻度を決定するためのバイオマーカー＞を包含する。
［０１５８］
＜貧血の要因をＭＤＳであると決定するためのバイオマーカー＞
貧血の要因をＭＤＳであると決定するためのバイオマーカーは、ＡＣＶＲ２ＢＡＣＶＲ２Ｂからなる。
［０１５９］
ＡＣＶＲ２Ｂとは、上述の通りである。このようなＡＣＶＲ２Ｂは、末梢血の多血球に存在する。末梢血とは上述の通りである。
［０１６０］
貧血の要因をＭＤＳと決定するためのバイオマーカーは、上述の＜貧血の要因を決定する方法＞において記載した方法に従って有用に用いられる。
［０１６１］
＜白血病発症リスクを決定するためのバイオマーカー＞
白血病発症リスクを決定するためのバイオマーカーは、ＡＣＶＲ２Ｂからなる。
［０１６２］
ＡＣＶＲ２Ｂとは、上述の通りである。このようなＡＣＶＲ２Ｂは、末梢血の多血球に存在する。末梢血とは上述の通りである。
［０１６３］
白血病発症リスクを決定するためのバイオマーカーは、上述の＜白血病発症リスクを決定する方法＞において記載した方法に従って有用に用いられる。
［０１６４］
＜輸血の必要性及びその頻度を決定するためのバイオマーカー＞
輸血の必要性及びその頻度を決定するためのバイオマーカーは、ＡＣＶＲ２Ｂからなる。
［０１６５］
ＡＣＶＲ２Ｂとは、上述の通りである。このようなＡＣＶＲ２Ｂは、末梢
【手続補正１８】
【補正対象書類名】明細書
【補正対象項目名】００２５
【補正方法】変更
【補正の内容】
【００２５】
血の多血球に存在する。末梢血とは上述の通りである。
［０１６６］
輸血の必要性及びその頻度を決定するためのバイオマーカーは、上述の＜輸血の必要性及びその頻度を決定する方法＞において記載した方法に従って有用に用いられる。
実施例
［０１６７］
以下に示す実施例に基づいて、本発明を更に詳細に説明する。ただし、本発明が以下に示す実施例に限定されないのは言うまでもない。
［０１６８］
＜抗体＞
本実施例にて用いた抗体は、以下の通りである。
［０１６９］
［表１］
2014030683.tif 000010
［０１７０］
※上記抗体の他に、ｈｕｍａｎ  ＡＣＶＲ２Ｂ−ＡＰＣを、ｈｕｍａｎ  ＡＣＶＲ２Ｂ（ａｂｃａｍ）とＡＰＣ  ｃｏｎｊｕｇａｔｉｏｎ  ｋｉｔ  （Ｄｏｊｉｎｄｏ）を用い、常法に従って作製した。
［０１７１］
＜各分化ステージの血球細胞の分取＞
定法に基づいて作製したＧａｔａ１−ＧＦＰトランスジェニックマウスの胎齢１６．５週目の胎仔から肝臓組織を採取し、その後、常法に従って細胞群に分散させた。得られた細胞群は、３ｍＬのＰＢＳで洗浄した後、３ｍＬのＭＡＣＳバッファーにて氷上で３０分間ブロッキング処理を行った。
［０１７２］
次いで、氷上のまま、細胞群に上記表１に示す抗体である、ｍｏｕｓｅ
【国際調査報告】
2014030683.tif 000011
2014030683.tif 000012
2014030683.tif 000013
2014030683.tif 000014
2014030683.tif 000015